(57)【要約】【課題】送信スケジューリングのためのシステム、方法、および手段が開示される。【解決手段】それ自体の基本サービスセット（ＢＳＳ）内のステーション（ＳＴＡ）は、重複ＢＳＳ（ＯＢＳＳ）から送信フレームを受信する。ＳＴＡは、受信された送信フレームのプリアンブルを復号することができる。ＳＴＡは、例えば復号されたプリアンブルを用いて、ＯＢＳＳ情報、およびＯＢＳＳに関連付けられた送信方式を決定することができる。ＯＢＳＳに関連付けられた送信方式が直交周波数分割多元接続（ＯＦＤＭＡ）であるという条件で、それ自体のＢＳＳ内のＳＴＡはそれのアクセスポイント（ＡＰ）に、１または複数のチャネルまたはサブチャネルが送信のために利用可能であるまたは利用不可であることを示すことができる。【選択図】図５
2019220999.tif 000002
【特許請求の範囲】
【請求項１】
アクセスポイント（ＡＰ）によって実施される方法であって、
ステーション（ＳＴＡ）から、隣接ＢＳＳに関連付けられた重複基本サービスセット（ＯＢＳＳ）、および前記隣接ＢＳＳが前記ＡＰのＢＳＳと同じＢＳＳカラーを使用していることの表示を含むイベント報告を受信するステップと、
前記ＡＰによって、前記イベント報告に基づく前記ＡＰのための他のＢＳＳカラー、および前記ＡＰが前記他のＢＳＳカラーに切り替わるまでのカラー切り替え時間を表示しているＢＳＳカラー変更アナウンスメントメッセージを前記ＳＴＡに送信するステップと、
を備える方法。
【発明の詳細な説明】
【技術分野】
【０００１】
本発明は、ＷＬＡＮにおけるＢＳＳカラー強化型送信（ＢＳＳ−ＣＥＴ）に関する。
【背景技術】
【０００２】
関連出願の相互参照
本出願は、参照によりその内容が本明細書に組み込まれている、２０１５年１月９日に出願した米国特許仮出願第６２／１０１，６４５号明細書の利益を主張するものである。
【０００３】
無線ローカルエリアネットワーク（ＷＬＡＮ）ベースのネットワークに追加される米国電気電子技術者協会（ＩＥＥＥ）８０２．１１デバイス（ステーション（ＳＴＡ）、および／またはアクセスポイント（ＡＰ））の数の急速な増加に伴って、高密度のＷＬＡＮ配備が日常的になってきている。このような高密度のＷＬＡＮ配備は、例えば干渉、輻輳、低スループットなどを含む要因により、著しい性能問題に直面している。
【０００４】
例えばＩＥＥＥ  ８０２．１１ａｈにおいて用いられるような、例えば基本サービスセット（ＢＳＳ）のための既存のＷＬＡＮの機能は、このような高密度のＷＬＡＮ配備に対して適切でない場合がある。このような高密度のＷＬＡＮ配備の性能を改善するために、強化型ＢＳＳカラーフォーマットおよび関連する機構が必要となり得る。
【発明の概要】
【課題を解決するための手段】
【０００５】
高密度に配備されたＷＬＡＮにおける性能を改善することができるシステム、方法、および手段が開示される。それ自体の基本サービスセット（ＢＳＳ）内のステーション（ＳＴＡ）は、重複ＢＳＳ（ＯＢＳＳ）から送信フレームを受信することができる。ＳＴＡは、受信された送信フレームからプリアンブルを復号することができる。ＳＴＡは、復号されたプリアンブル（例えば復号されたプリアンブルのみ）を用いて、ＯＢＳＳ情報、および／またはＯＢＳＳに関連付けられた送信方式を決定することができる。送信方式は、直交周波数分割多重（ＯＦＤＭ）、直交周波数分割多元接続（ＯＦＤＭＡ）、ＢＳＳサイレンシング、セクタ化された送信による干渉回避、または帯域サイレンシングを有するＯＦＤＭＡの１または複数を含むことができる。送信フレームは、送信ノードまたはＢＳＳ識別を含むことができる。送信ノードまたはＢＳＳ識別は、送信ノードまたはＢＳＳ識別がダウンリンク送信用であるかまたはアップリンク送信用であるかを示すことができる。
【０００６】
決定された、ＯＢＳＳに関連付けられた送信方式は、直交周波数分割多元接続（ＯＦＤＭＡ）とすることができる。このような場合ＳＴＡは、それ自体のＢＳＳ内で、その関連付けられたアクセスポイント（ＡＰ）に、送信のために利用可能である１または複数のチャネルまたはサブチャネル、および／または送信のために利用不可である１または複数のチャネルまたはサブチャネルを示すことができる。ＳＴＡはチャネル情報を、それ自体のＢＳＳ内のＡＰに、例えば送信スケジュールに応答して、および／またはアップリンク要求を用いて送ることができる。
【０００７】
決定された、ＯＢＳＳに関連付けられた送信方式は、直交周波数分割多重（ＯＦＤＭ）とすることができる。このような場合、ＳＴＡは、チャネルが送信のために利用不可であることを決定することができる。ＳＴＡは、例えばＯＢＳＳ情報が、ＳＴＡはＯＢＳＳ干渉に対してロバスト性がないことを示すときは、チャネルをビジーに設定することができる。ＳＴＡは、例えばＯＢＳＳ情報が、ＳＴＡはＯＢＳＳ干渉に対してロバスト性があることを示すときは、チャネルをアイドルに設定することができる。ＳＴＡは、アイドルに設定されたチャネル上に送信することができる。
【図面の簡単な説明】
【０００８】
より詳細な理解は、添付の図面と共に例として示される以下の説明から得られることができる。
【０００９】
【図１】例示的無線ローカルエリアネットワーク（ＷＬＡＮ）システムを示す図である。
【図２】強化型分散チャネルアクセス（ＥＤＣＡ）動作の例を示す図である。
【図３】サブ１ＧＨｚ（Ｓ１Ｇ）能力情報フィールドの例を示す図である。
【図４】ＳＩＧ−１フレーム構造の例を示す図である。
【図５】基本サービスセット（ＢＳＳ）カラーによるクリアチャネル評価（ＣＣＡ）閾値の例を示す図である。
【図６】強い干渉の存在下での、意図された信号の例示の重複直交周波数分割多重（ＯＦＤＭ）送信を示す図である。
【図７】フィードバックパケットの、例示のメディアアクセス制御（ＭＡＣ）フレームフォーマットを示す図である。
【図８】重複しないセカンダリチャネルを用いた、ＳＴＡ自体のアクセスポイント（ＡＰ）への例示のフィードバック情報を示す図である。
【図９】例示の空間直交フィードバックを示す図である。
【図１０】意図されたシンボルと混合された、例示の復調された干渉シンボルを示す図である。
【図１１】キャンセルおよび延期型ＡＣＫを示すネットワークの例を示す図である。
【図１２】延期型ＡＣＫ動作の例を示す図である。
【図１３】ＡＣＫ動作の例を示す図である。
【図１４】アップリンク／ダウンリンク（ＵＬ／ＤＬ）直交周波数分割多元接続（ＯＦＤＭＡ）の例を示す図である。
【図１５】ＵＬ／ＤＬ  ＯＦＤＭＡパケット交換タイプ１の例を示す図である。
【図１６】ＵＬ／ＤＬ  ＯＦＤＭＡパケット交換タイプ２の例を示す図である。
【図１７】ＵＬ／ＤＬ  ＯＦＤＭＡパケット交換タイプ３の例を示す図である。
【図１８】ＵＬ／ＤＬ  ＯＦＤＭの例を示す図である。
【図１９】ＵＬ／ＤＬ  ＯＦＤＭパケット交換の例を示す図である。
【図２０】強化型ＢＳＳカラーを用いたピアツーピア送信によるＯＦＤＭＡの例を示す図である。
【図２１】パケット交換の例を示す図である。
【図２２】重複ＢＳＳ（ＯＢＳＳ）干渉の例、および例示の干渉キャンセルトランシーバを示す図である。
【図２３】ＯＢＳＳ報告要素の例を示す図である。
【図２４】カラーアナウンスメント（サブ）要素の例を示す図である。
【図２５Ａ】１または複数の開示される実施形態が実施されることができる、例示の通信システムのシステム図である。
【図２５Ｂ】図２５Ａに示される通信システム内で用いられることができる、例示の無線送信／受信ユニット（ＷＴＲＵ）のシステム図である。
【発明を実施するための形態】
【００１０】
次に例示的実施形態の詳細な説明が、様々な図に関連して述べられる。この説明は可能な実装形態の詳細な例をもたらすが、詳細は例示的なものであり、本出願の範囲を限定するものでは全くないことが留意されるべきである。
【００１１】
インフラストラクチャ基本サービスセットモードにおけるＷＬＡＮは、図１での例によって示されるように、基本サービスセット（ＢＳＳ）のためのアクセスポイント（ＡＰ）、およびＡＰに関連付けられた１または複数のステーション（ＳＴＡ）を有することができる。ＡＰは、分配システム（ＤＳ）への、またはＢＳＳ内のもしくはそれから外へのトラフィックを運ぶことができる他のタイプの有線／無線ネットワークへの、アクセスまたはインターフェースを有することができる。ＳＴＡへのトラフィックは、ＢＳＳの外部から生じることができ、ＡＰを通じて到着することができ、ＳＴＡに届けられることができる。ＳＴＡから生じる、ＢＳＳの外部の宛先へのトラフィックは、それぞれの宛先に届けられるようにＡＰに送られることができる。ＢＳＳ内のＳＴＡ間のトラフィックはＡＰを通じて送られることができ、ソースＳＴＡはＡＰにトラフィックを送ることができ、ＡＰは宛先ＳＴＡにトラフィックを届けることができる。ＢＳＳ内のＳＴＡ間のトラフィックは、ピアツーピアトラフィックとすることができる。このようなピアツーピアトラフィックは例えば、ＩＥＥＥ  ８０２．１１ｅ  ＤＬＳまたはＩＥＥＥ  ８０２．１１ｚトンネルＤＬＳ（ＴＤＬＳ）を用いた直接リンクセットアップ（ＤＬＳ）により、ソースおよび宛先ＳＴＡの間で直接送られることができる。独立ＢＳＳ（ＩＢＳＳ）モードを用いたＷＬＡＮはＡＰをもたなくてもよく、ＳＴＡは互いに直接通信することができる。この通信モードはアドホックモードとすることができる。
【００１２】
図１は、例示的無線ローカルエリアネットワーク（ＷＬＡＮ）デバイスを示す。デバイスの１または複数は、本明細書で述べられる特徴の１または複数実施するために用いられることができる。ＷＬＡＮは、アクセスポイント（ＡＰ）１０２、ステーション（ＳＴＡ）１１０、およびＳＴＡ１１２を含むことができるが、それらに限定されない。ＳＴＡ１１０および１１２は、ＡＰ１０２に関連付けられることができる。ＷＬＡＮはＩＥＥＥ  ８０２．１１通信標準の１または複数のプロトコルを実施するように構成されることができ、これはＤＳＳＳ、ＯＦＤＭ、ＯＦＤＭＡなどのチャネルアクセス方式を含むことができる。ＷＬＡＮはあるモード、例えばインフラストラクチャモード、アドホックモードなどで動作することができる。
【００１３】
インフラストラクチャモードで動作するＷＬＡＮは、１または複数の関連付けられたＳＴＡと通信する１または複数のＡＰを備えることができる。ＡＰ、およびＡＰに関連付けられたＳＴＡは、基本サービスセット（ＢＳＳ）を備えることができる。例えばＡＰ１０２、ＳＴＡ１１０、およびＳＴＡ１１２は、ＢＳＳ１２２を備えることができる。拡張型サービスセット（ＥＳＳ）は、１または複数のＡＰ（１または複数のＢＳＳを有する）、およびＡＰに関連付けられたＳＴＡを含むことができる。ＡＰは分配システム（ＤＳ）１１６へのアクセスおよび／またはそれへのインターフェースを有することができ、これは有線および／または無線とすることができ、ＡＰへのおよび／またはそれからのトラフィックを運ぶことができる。ＷＬＡＮの外部から生じた、ＷＬＡＮ内のＳＴＡへのトラフィックはＷＬＡＮ内のＡＰにおいて受信されることができ、それはＷＬＡＮ内のＳＴＡにトラフィックを送ることができる。ＷＬＡＮ内のＳＴＡから生じた、ＷＬＡＮの外部の宛先、例えばサーバ１１８へのトラフィックはＷＬＡＮ内のＡＰに送られることができ、それは宛先にトラフィックを、例えばサーバ１１８に送られるようにＤＳ１１６を経由してネットワーク１１４に送ることができる。ＷＬＡＮ内のＳＴＡ間のトラフィックは、１または複数のＡＰを通じて送られることができる。例えばソースＳＴＡ（例えばＳＴＡ１１０）は、宛先ＳＴＡ（例えばＳＴＡ１１２）に対するものであることが意図されたトラフィックを有することができる。ＳＴＡ１１０はＡＰ１０２にトラフィックを送ることができ、ＡＰ１０２はＳＴＡ１１２にトラフィックを送ることができる。
【００１４】
ＷＬＡＮはアドホックモードで動作することができる。アドホックモードＷＬＡＮは、独立基本サービスセット（ＩＢＢＳ）と呼ばれることができる。アドホックモードＷＬＡＮでは、ＳＴＡは互いに直接通信することができる（例えばＳＴＡ１１０はＳＴＡ１１２と通信することができ、そのような通信はＡＰを通じて経路指定されない）。
【００１５】
ＩＥＥＥ  ８０２．１１デバイス（例えばＢＳＳ内のＩＥＥＥ  ８０２．１１  ＡＰ）は、ビーコンフレームを用いて、ＷＬＡＮネットワークの存在をアナウンスすることができる。ＡＰ１０２などのＡＰはチャネル、例えばプライマリチャネルなどの固定チャネル上に、ビーコンを送信することができる。ＳＴＡは、プライマリチャネルなどのチャネルを用いて、ＡＰとの接続を確立することができる。
【００１６】
ＳＴＡおよび／またはＡＰは、キャリア検知多重アクセス／衝突回避（ＣＳＭＡ／ＣＡ）チャネルアクセス機構を用いることができる。ＣＳＭＡ／ＣＡにおいてＳＴＡおよび／またはＡＰは、プライマリチャネルを検知することができる。例えばＳＴＡが送るためのデータを有する場合は、ＳＴＡはプライマリチャネルを検知することができる。プライマリチャネルがビジーであることが検出された場合は、ＳＴＡはバックオフすることができる。例えばＷＬＡＮまたはその一部分は、例えば所与のＢＳＳ内で、所与の時点において１つのＳＴＡが送信できるように構成されることができる。チャネルアクセスは、ＲＴＳおよび／またはＣＴＳシグナリングを含むことができる。例えば送出要求（ＲＴＳ）フレームの交換は送出デバイスによって送信されることができ、および送出可（ＣＴＳ）フレームは受信デバイスによって送られることができる。例えばＡＰがＳＴＡに送るためのデータを有する場合、ＡＰはＲＴＳフレームをＳＴＡに送ることができる。ＳＴＡがデータを受信する準備が整った場合は、ＳＴＡはＣＴＳフレームにより応答することができる。ＣＴＳフレームは、ＲＴＳを始動したＡＰがそのデータを送信できる間、媒体にアクセスするのを見合わせるように他のＳＴＡに警告することができる時間値を含むことができる。ＳＴＡからＣＴＳフレームを受信するとすぐに、ＡＰはＳＴＡにデータを送ることができる。
【００１７】
デバイスは、ネットワーク割り振りベクトル（ＮＡＶ）フィールドによって、スペクトルを予約することができる。例えばＩＥＥＥ  ８０２．１１フレームにおいてＮＡＶフィールドは、ある期間の間チャネルを予約するために用いられることができる。データを送信したいＳＴＡは、それがチャネルを使用することを予想できる時間に、ＮＡＶを設定することができる。ＳＴＡがＮＡＶを設定するときＮＡＶは、関連付けられたＷＬＡＮまたはそのサブセット（例えばＢＳＳ）に対して設定されることができる。他のＳＴＡは、ＮＡＶをゼロまでカウントダウンすることができる。カウンタがゼロの値に達したとき、ＮＡＶ機能は、今はチャネルが利用可能であることを他のＳＴＡに知らせることができる。
【００１８】
ＡＰまたはＳＴＡなどのＷＬＡＮ内のデバイスは、プロセッサ、メモリ、無線受信器および／または送信器（例えばトランシーバに組み合わされ得る）、１または複数のアンテナ（例えば図１のアンテナ１０６）などの、１または複数を含むことができる。プロセッサ機能は１または複数のプロセッサを備えることができる。例えばプロセッサは、汎用プロセッサ、専用プロセッサ（例えばベースバンドプロセッサ、ＭＡＣプロセッサなど）、デジタル信号プロセッサ（ＤＳＰ）、特定用途向け集積回路（ＡＳＩＣ）、フィールドプログラマブルゲートアレイ（ＦＰＧＡ）回路、任意の他のタイプの集積回路（ＩＣ）、状態機械などの１または複数を備えることができる。１または複数のプロセッサは、互いに統合されても統合されなくてもよい。プロセッサ（例えば１または複数のプロセッサ、またはそのサブセット）は、１または複数の他の機能（例えばメモリなどの他の機能）と統合されることができる。プロセッサは、信号符号化、データ処理、電力制御、入力／出力処理、変調、復調、および／またはデバイスが図１ＣのＷＬＡＮなどの無線環境において動作することを可能にすることができる任意の他の機能を行うことができる。プロセッサは、例えばソフトウェアおよび／またはファームウェア命令を含む、プロセッサ実行可能コード（例えば命令）を実行するように構成されることができる。例えばプロセッサは、プロセッサ（例えばメモリおよびプロセッサを含むチップセット）またはメモリの１または複数上に含まれた、コンピュータ可読命令を実行するように構成されることができる。命令の実行はデバイスに、本明細書で述べられる機能の１または複数を行わせることができる。
【００１９】
デバイスは１または複数のアンテナを含むことができる。デバイスは多入力多出力（ＭＩＭＯ）技法を使用することができる。１または複数のアンテナは、無線信号を受信することができる。プロセッサは、例えば１または複数のアンテナを経由して無線信号を受信することができる。１または複数のアンテナは無線信号を送信することができる（例えばプロセッサから送られた信号に基づいて）。
【００２０】
デバイスは、プロセッサ実行可能コードまたは命令（例えばソフトウェア、ファームウェアなど）、電子データ、データベース、または他のデジタル情報などの、プログラミングおよび／またはデータを記憶するための１または複数のデバイスを含むことができるメモリを有することができる。メモリは１または複数のメモリユニットを含むことができる。１または複数のメモリユニットは、１または複数の他の機能（例えばプロセッサなどのデバイスに含まれた他の機能）と統合されることができる。メモリは、読み出し専用メモリ（ＲＯＭ）（例えば消去可能プログラマブル読み出し専用メモリ（ＥＰＲＯＭ）、電気的消去可能プログラマブル読み出し専用メモリ（ＥＥＰＲＯＭ）など）、ランダムアクセスメモリ（ＲＡＭ）、磁気ディスク記憶媒体、光記憶媒体、フラッシュメモリデバイス、および／または情報を記憶するための他の非一時的コンピュータ可読媒体を含むことができる。メモリはプロセッサに結合されることができる。プロセッサは、例えばシステムバスを経由してまたは直接、メモリの１または複数のエンティティと通信することができる。
【００２１】
インフラストラクチャ基本サービスセット（ＩＢＳＳ）モードにおけるＷＬＡＮは、基本サービスセット（ＢＳＳ）のためのアクセスポイント（ＡＰ）、およびＡＰに関連付けられた１または複数のステーション（ＳＴＡ）を有することができる。ＡＰは、分配システム（ＤＳ）、またはＢＳＳ内のまたはそれから外へのトラフィックを運ぶことができる他のタイプの有線／無線ネットワークへの、アクセスまたはインターフェースを有することができる。ＳＴＡへのトラフィックは、ＢＳＳの外部から生じることができ、ＡＰを通じて到着することができ、ＳＴＡに届けられることができる。ＳＴＡから生じる、ＢＳＳの外部の宛先へのトラフィックは、それぞれの宛先に届けられるようにＡＰに送られることができる。ＢＳＳ内のＳＴＡ間のトラフィックはＡＰを通じて送られることができ、ソースＳＴＡはＡＰにトラフィックを送ることができ、ＡＰは宛先ＳＴＡにトラフィックを届けることができる。ＢＳＳ内のＳＴＡ間のトラフィックは、ピアツーピアトラフィックとすることができる。このようなピアツーピアトラフィックは例えば、ＩＥＥＥ  ８０２．１１ｅ  ＤＬＳまたはＩＥＥＥ  ８０２．１１ｚトンネルＤＬＳ（ＴＤＬＳ）を用いた直接リンクセットアップ（ＤＬＳ）により、ソースおよび宛先ＳＴＡの間で直接送られることができる。独立ＢＳＳ（ＩＢＳＳ）モードを用いたＷＬＡＮはＡＰをもたなくてもよく、ＳＴＡは互いに直接通信することができる。この通信モードはアドホックモードとすることができる。
【００２２】
ＩＥＥＥ  ８０２．１１インフラストラクチャ動作モードを用いてＡＰは、固定チャネル、通常はプライマリチャネルにおいて、ビーコンを送信することができる。このチャネルは２０ＭＨｚ幅とすることができ、ＢＳＳの動作チャネルとすることができる。このチャネルはまた、ＡＰとの接続を確立するために、ＳＴＡによって用いられることができる。ＩＥＥＥ  ８０２．１１システムにおけるチャネルアクセスは、キャリア検知多重アクセス／衝突回避（ＣＳＭＡ／ＣＡ）とすることができる。この動作モードにおいて、ＡＰを含むＳＴＡは、プライマリチャネルを検知することができる。チャネルがビジーであることが検出された場合は、ＳＴＡはバックオフすることができる。チャネルが空いていることが検出された場合は、ＳＴＡはチャネルを取得し、データを送信することができる。
【００２３】
ＩＥＥＥ  ８０２．１１ｎでは、高スループット（ＨＴ）ＳＴＡは、通信のために４０ＭＨｚ幅のチャネルを用いることができる。これは例えばプライマリ２０ＭＨｚチャネルを、隣接した２０ＭＨｚチャネルと組み合わせて、４０ＭＨｚ幅の連続したチャネルを形成することによって達成されることができる。
【００２４】
ＩＥＥＥ  ８０２．１１ａｃでは超高スループット（ＶＨＴ）ＳＴＡは、例えば２０ＭＨｚ、４０ＭＨｚ、８０ＭＨｚ、および／または１６０ＭＨｚ幅のチャネルをサポートすることができる。４０ＭＨｚ、および８０ＭＨｚチャネルは、例えば連続した２０ＭＨｚチャネルを組み合わせることによって形成されることができる。１６０ＭＨｚチャネルは、例えば８個の連続した２０ＭＨｚチャネルを組み合わせることによって、または２つの不連続な８０ＭＨｚチャネルを組み合わせることによって（例えば８０＋８０構成と呼ばれる）形成されることができる。８０＋８０構成の場合、データは、チャネルエンコーディングの後に、それを２つのストリームに分割することができるセグメントパーサに通過されることができる。逆高速フーリエ変換（ＩＦＦＴ）および時間領域処理は、各ストリームに別々に行われることができる。ストリームは２つのチャネルにマッピングされることができ、データが送信されることができる。受信器においてこの機構は逆転され、組み合わされたデータはＭＡＣに送られることができる。
【００２５】
ＩＥＥＥ  ８０２．１１ａｆおよびＩＥＥＥ  ８０２．１１ａｈは、サブ１ＧＨｚ帯域において動作することができる。これらの仕様に対してチャネル動作帯域幅は、ＩＥＥＥ  ８０２．１１ｎおよびＩＥＥＥ  ８０２．１１ａｃで用いられるものに比べて低減されることができる。ＩＥＥＥ  ８０２．１１ａｆは、テレビホワイトスペース（ＴＶＷＳ）スペクトルにおいて動作することができ、ＩＥＥＥ  ８０２．１１ａｈは、例えば非ＴＶＷＳスペクトルを用いて１ＭＨｚ、２ＭＨｚ、４ＭＨｚ、８ＭＨｚ、および／または１６ＭＨｚ帯域幅をサポートすることができる。例えば８０２．１１ａｈは、マクロカバレージエリアにおけるメータタイプ制御（ＭＴＣ）デバイスをサポートすることができる。ＭＴＣデバイスは、例えば限られた帯域幅および長い電池寿命に対するサポートを含む、限られた能力を有することができる。
【００２６】
ＷＬＡＮシステムは、８０２．１１ｎ、８０２．１１ａｃ、８０２．１１ａｆ、および８０２．１１ａｈなどの複数のチャネルおよび／またはチャネル幅、ならびにプライマリチャネルとして指定されることができるチャネルをサポートすることができる。プライマリチャネルは、ＢＳＳ内のいくつかまたはすべてのＳＴＡによってサポートされる最も大きな共通動作帯域幅に等しい帯域幅を有することができる。プライマリチャネルの帯域幅は、最も小さな帯域幅動作モードをサポートすることができるＳＴＡ（例えばＢＳＳ内で動作するいくつかまたはすべてのＳＴＡ）によって制限され得る。８０２．１１ａｈの例において例えば、たとえＡＰおよびＢＳＳ内の他のＳＴＡが、２ＭＨｚ、４ＭＨｚ、８ＭＨｚ、１６ＭＨｚ、または他のチャネル帯域幅動作モードをサポートすることができたとしても１ＭＨｚモードをサポートする（例えばそれのみをサポートする）ＳＴＡ（例えばＭＴＣタイプデバイス）が存在する場合、プライマリチャネルは１ＭＨｚ幅とすることができる。いくつかまたはすべてのキャリア検知、およびＮＡＶ設定は、例えばＳＴＡがＡＰに送信する１ＭＨｚ動作モードを（例えばそれのみを）サポートすることにより、プライマリチャネルがビジーである場合、利用可能な周波数帯域全体が、たとえその大部分がアイドルおよび／または利用可能であり得てもビジーと見なされ得るように、プライマリチャネルのステータスに依存し得る。
【００２７】
例えば米国では、ＩＥＥＥ  ８０２．１１ａｈによって用いられることができる利用可能な周波数帯域は、９０２ＭＨｚから９２８ＭＨｚまでとすることができる。例えば韓国では、これは９１７．５ＭＨｚから９２３．５ＭＨｚまでとすることができる。例えば日本では、これは９１６．５ＭＨｚから９２７．５ＭＨｚまでとすることができる。ＩＥＥＥ  ８０２．１１ａｈのために利用可能な総帯域幅は６ＭＨｚから２６ＭＨｚとすることができ、国コードに依存することができる
【００２８】
強化型分散チャネルアクセス（ＥＤＣＡ）は、優先順位付けされたサービス品質（ＱｏＳ）をサポートするために８０２．１１標準に導入された、分散型協調機能（ＤＣＦ）の拡張とすることができる。図２は、例えばＩＥＥＥ  ８０２．１１ｎ標準においてもたらされるＥＤＣＡの動作を示す。
【００２９】
ポイント協調機能（ＰＣＦ）は、無競争チャネルアクセスを用いることができる。ＰＣＦは、時間限定サービス、およびＡＰによるポーリングをサポートすることができる。図２に示されるようにＡＰは、ＰＩＦＳを待った後にポーリングメッセージを送ることができる。クライアントが送信するものがない場合、クライアントはヌルデータフレームを返すことができる。ＰＩＦＳはＤＩＦＳより小さいので、それはすべての非同期トラフィックをロックアウトすることができる。ＰＣＦは決定論的で公正とすることができ、低いデューティサイクル、および混雑したまたはバースト的なトラフィックの両方に効率的となることができる。
【００３０】
米国電気電子技術者協会（ＩＥＥＥ）８０２．１１高効率ＷＬＡＮ（ＨＥＷ）研究グループ（ＳＧ）は、２．４ＧＨｚおよび５ＧＨｚ帯域での高密度シナリオを含む多くの使用シナリオにおける、広範囲の無線ユーザに対するエクスペリエンス品質（ＱｏＥ）を強化することを探求してきた。ＡＰおよびＳＴＡの高密度の配備をサポートするユースケース、ならびに関連する無線リソース管理（ＲＲＭ）がＨＥＷ  ＳＧによって検討されている。
【００３１】
ＨＥＷの応用例は、非限定的に、スタジアムイベントのためのデータ配信、鉄道の駅、または企業／小売り環境などの高いユーザ密度シナリオ、ビデオ配信に対する増加する依存性に対する証拠、および医療用途のための無線サービスを含む、新しく生じた使用シナリオを含むことができる。
【００３２】
例えばＨＥＷ研究グループ（ＳＧ）における作業に基づいて、プロジェクト承認要求（ＰＡＲ）および標準開発のための基準（Criteria for Standards Development）（ＣＳＤ）に基づいて、ＩＥＥＥ  ８０２．１１ａｘタスクグループ（ＴＧ）が確立された。
【００３３】
ＩＥＥＥ  ８０２．１１ａｈは、基本サービスセット（ＢＳＳ）カラー、および／または部分的関連付け識別（部分的ＡＩＤ）をもたらすことができる。ＢＳＳカラーは、ＳＴＡが、例えばダウンリンク送信がそれら自体または他のＢＳＳからのいずれであるかを区別することを可能にするための、８０２．１１ａｈにおける機構である。図３は、Ｓ１Ｇ能力情報フィールドを示す。図３に示されるように、ＢＳＳカラーは、ＳＴＡが、それらがネゴシエートし得るＡＰのカラーを識別することを可能にするために、サブ１ＧＨｚ（Ｓ１Ｇ）能力情報フィールドにおいて送信されることができる。
【００３４】
図４は、ＳＩＧ−１フレーム構造の例を示す。ＢＳＳカラーは、プリアンブルの一部として送信されることができるパケット（例えばあらゆるパケット）の、ＳＩＧ−１フィールドのＩＤフィールドにおいて送信されることができる。これはＳＴＡが、プリアンブルを復号することによって送信しているＢＳＳを概略的に識別することを可能にすることができる。ＢＳＳカラーは、一意でなくてもよい。ＳＴＡは、それが関連付けられたＢＳＳに信号は属さないことを決定するために、ＢＳＳカラーを用いることができる。ＳＴＡは、送信された信号がそれ自体のＢＳＳに属することを確信しない場合がある。
【００３５】
ＢＳＳカラーは、ＴＸＶＥＣＴＯＲ／ＲＸＶＥＣＴＯＲパラメータ内に配置されることができる。ＢＳＳカラーは、受信するＳＴＡが、受信がそれから生じることができるＢＳＳを識別するのを支援するために用いられることができる。例えば受信が、ＳＴＡが関連付けられることができるＢＳＳからではあり得ないとき、受信するＳＴＡは受信プロセスを終了することによって電力消費を低減することができる。
【００３６】
部分的ＡＩＤは、ＳＴＡからの送信フレームの受信側を識別するために用いられることができる機構とすることができる。部分的ＡＩＤは、ＰＬＣＰサービスデータユニット（ＰＳＤＵ）の意図された受信側の、短縮されたインディケーションをもたらすことができる。部分的ＡＩＤは、例えばフレームの宛先がＳＴＡであるときは受信アドレス（ＲＡ）において、例えばパケットの宛先がＡＰであるときは部分的ＢＳＳ  ＩＤにおいて運ばれることができる。
【００３７】
ＢＳＳカラーと部分的ＡＩＤの組み合わせは、メンバ物理プロトコルデータユニット（ＰＰＤＵ）識別において支援することができ、８０２．１１ａｈにおいて省電力のため、ＯＢＳＳ／非ＯＢＳＳ送信中に空間的直交送信を検出するため、ＣＣＡ動作において、または応答インディケーション延期においての、１または複数のために用いられることができる。
【００３８】
ＢＳＳカラーおよび／またはＰＡＩＤは、ＩＥＥＥ  ８０２．１１ａｈにおいて用いられることができる。例えばＢＳＳカラーはＩＥＥＥ  ８０２．１１ａｈにおいて、本明細書で述べられるように省電力を達成するために用いられることができる。ＴＸＶＥＣＴＯＲパラメータＣＯＬＯＲは、受信するＳＴＡが、受信が生じたＢＳＳを識別することを支援するために用いられることができる。例えば受信が、ＳＴＡが関連付けられたＢＳＳからではないとき、受信するＳＴＡは受信プロセスを終了することによって電力消費を低減することができる。
【００３９】
空間的直交送信（例えばセクタ化を用いた）、およびＢＳＳカラーは、本明細書で述べられることができる。ＲＸＶＥＣＴＯＲパラメータＣＯＬＯＲは、例えばＢＳＳ送信（例えば同じＢＳＳ送信）とＯＢＳＳ送信との間での受信されたＰＰＤＵを類別することによって、空間的直交（ＳＯ）条件を検出するために利用されることができる。初期セクタインジケータが０に等しい場合、ＯＢＳＳ  ＳＴＡは、空間的直交条件をチェックしなくてよい。
【００４０】
初期セクタインジケータが１である場合、初期セクタインジケータフィールドは、ＮＤＰ  ＣＴＳフレームの後にセクタ化されたビームフレーム交換が続くことができることを示すことができる。初期セクタインジケータが０である場合、それは、ＮＤＰ  ＣＴＳフレームの後にセクタ化されたビームフレーム交換が続かなくてもよいことを示すことができる。
【００４１】
ＢＳＳカラー／ＰＡＩＤを用いたＣＣＡ動作がもたらされることができる。例えばＳＴＡが、送信はＳＴＡが関連付けられたものと同じＢＳＳに関連付けられていることを識別した場合、ＳＴＡはチャネルをビジーステータスに設定することができる。ＳＴＡが、送信はＯＢＳＳに関連付けられることを識別した場合、例えばＣＣＡが最小ＣＣＡ感度レベルを超えた場合は、ＳＴＡはチャネルをビジーに設定することができる。
【００４２】
メンバＰＰＤＵ識別を用いた応答インディケーション延期がもたらされることができる。例えばＩＥＥＥ  ８０２．１１ａｈにおいて、例えばＮＡＶカウンタまたはＲＩＤカウンタがゼロではなく、インディケーションがメディアはビジーであるというものであるとき、応答インディケーション延期（ＲＩＤ）と呼ばれるＣＳＭＡ／ＣＡアルゴリズムに仮想キャリア検知機構が追加されることができる。カウンタは、例えば送信がＢＳＳ内からであるか、またはＯＢＳＳからであるかに基づいて変更されることができる。
【００４３】
ＩＥＥＥ  ８０２．１１ａｘにおけるＢＳＳカラーがもたらされることができる。クリアチャネル評価閾値および送信電力制御（ＣＣＡ／ＴＰＣ）は、例えばＢＳＳカラーに基づいて調整されることができる。ＢＳＳカラー実装形態は、信号を受信するＳＴＡのＣＣＡの変更を用いることができる。ＣＣＡ（例えばＣＣＡのみ）を調整することは、システムスペクトル効率を向上することはできない。例えば限られた周波数時間リソースの使用を増加させるために、共同のＣＣＡ閾値およびＴＰＣ調整が利用されることができる。ＴＰＣを組み込むことは、送信電力制御が用いられるとき、および／または所望の受信器の受信器感度についての情報が既知であるとき、結果として実装形態および／またはシグナリングの変更を生じ得る。
【００４４】
ＢＳＳカラーを用いた先進型空間的再利用がもたらされることができる。システムスペクトル効率は、ＢＳＳカラーを用いることによって改善されることができる。ＢＳＳカラーは、隣接したまたは重複ＢＳＳ（ＯＢＳＳ）の間での空間的再利用を可能にすることができる。共同のＣＣＡおよびＴＰＣ調整は、空間的再利用の使用を可能にすることができる。ＣＣＡおよびＴＰＣは、空間的再利用送信を完全に保護すること、および／またはＯＢＳＳ送信間の衝突を回避することはできない。この目的を達成するためにおよび／または修正された受信器設計を可能にするために、ＢＳＳカラー情報を用いた、送信器と受信器の間のシグナリングが用いられることができる。
【００４５】
送信方式固有カラーがもたらされることができる。例えばＩＥＥＥ  ８０２．１１ａｈにおけるＢＳＳカラー方式は、サブ１ＧＨｚ周波数帯域上の送信を含むことができる。ＩＥＥＥ  ８０２．１１ａｈは、拡大されたカバレージ範囲、強化された省電力、および／または多数のデバイスに対するサポートをもたらすことができる。次世代のＷＬＡＮシステムは、高密度の配備、高いスペクトル効率などの１または複数の特徴を有することができ、および／または既存のＢＳＳカラーのフォーマットは、新しい要件に適合することができない。ＯＦＤＭ、ＯＦＤＭＡ、ＭＵ−ＭＩＭＯなどの１または複数の送信方式が、サポートされることができる。これらの目標により良く役立つように、送信方式固有ＢＳＳカラーフォーマットまたはシステムが利用されることができる。
【００４６】
ＢＳＳカラー変更および協調がもたらされることができる。例えばＢＳＳが確立されるとき、ＢＳＳカラーに関連付けられた値が選択されることができる。効率的な干渉処理をもたらすために、ＢＳＳのカラーは周囲の重複ＢＳＳと協調して選択されることができる。ＢＳＳは、ＯＢＳＳからの干渉により、異なるＢＳＳカラーを選択することができる。ＡＰは、ＡＰに関連付けられた１または複数のＳＴＡに、ＢＳＳカラーの変更をアナウンスすることができる。ＢＳＳカラー変更および／または協調は、最適化された干渉処理をもたらすために利用されることができる。
【００４７】
本明細書で述べられる例におけるノードの送信アドレスおよび受信アドレスは、ＯＢＳＳ送信の識別を可能にするようにパケット内に、例えばＭＡＣヘッダ内に、またはＰＨＹ  ＳＩＧ内に配置されることができる。
【００４８】
ＢＳＳカラーに基づくクリアチャネル評価閾値および送信電力制御（ＣＣＡ／ＴＰＣ）がもたらされることができる。図５は、基本サービスセット（ＢＳＳ）カラーによるクリアチャネル評価（ＣＣＡ）閾値の例を示す。図５に示されるように、ＢＳＳ１内のＳＴＡ１のＣＣＡ閾値基準および／または送信電力は、例えばオーバーヒアされた送信上のソースＢＳＳの決定（例えば初期決定）、またはオーバーヒアされた送信の受信側であるＢＳＳ２内のＳＴＡ２に対する、オーバーヒアするＳＴＡ１による送信の影響に基づいて変更されることができる。
【００４９】
オーバーヒアされた送信におけるソースＢＳＳの初期決定は、プリアンブル内に位置するＢＳＳカラーパラメータを用いて、ダウンリンク送信において識別されることができる。送信のＢＳＳカラーがＳＴＡのものと等しくない場合、送信はそれ自体のＢＳＳからではないとすることができる（例えば送信はＯＢＳＳ送信である場合がある）。送信のＢＳＳカラーがＳＴＡのものと等しい場合、送信はそれ自体のＢＳＳからであるとすることができる。
【００５０】
オーバーヒアされた送信に対するソースＢＳＳの初期決定は、例えばオーバーヒアされたパケットの受信アドレス（ＲＡ）を用いて、アップリンク送信において識別されることができる。ＲＡがそれのＡＰのアドレスに等しくない場合、送信はそれ自体のＢＳＳからではないとすることができる。ＲＡがそれのＡＰのアドレスに等しい場合、送信はそれ自体のＢＳＳからであるとすることができる。受信アドレスは、部分的ＡＩＤなど、ＲＡの圧縮されたバージョンとすることができる。図５に示されるように、ＳＴＡ２またはＡＰ２からの送信は、例えばＢＳＳ１（例えばＡＰ１によって動作される）、およびＢＳＳ２（例えばＡＰ２によって動作される）のカラーが異なる場合、ＳＴＡ１によってＯＢＳＳ送信として識別されることができる。
【００５１】
図５にさらに示されるように、ＢＳＳ１内のＳＴＡ１のＣＣＡ閾値基準および／または送信電力は、例えばオーバーヒアするＳＴＡ例えばＳＴＡ１による送信の、オーバーヒアされる送信の受信側例えばＳＴＡ２に対する、送信の影響に基づいて変更されることができる。オーバーヒアするＳＴＡ例えばＳＴＡ１は、オーバーヒアされる送信の受信側例えばＳＴＡ２の受信器特性を識別することができる。
【００５２】
例えば図５に示されるように、ＳＴＡ１は、受信側ＯＢＳＳ  ＳＴＡ、例えばＳＴＡ２に関連付けられた受信器特性（例えば必要なＲｘ感度またはＲｘ電力）を識別し、および／またはＳＴＡ固有のやり方でそれ自体のＣＣＡ閾値を変更することができる。それ自体の受信器および／またはＯＢＳＳ送信の受信側の受信器要件の知識は、それがそれのＣＣＡ閾値（例えば送信電力）を、両方のＳＴＡに有益となることができるようなレベルに設定することを可能にする。受信側ＯＢＳＳ  ＳＴＡ、ＳＴＡ２に対する受信器要件および／または特性を識別するために、発見機構が利用されることができる。発見機構は、１または複数（例えばすべて）のＯＢＳＳ  ＳＴＡに対する受信器要件および／または特性を識別するために利用されることができる。識別された受信器要件および／または特性は、例えば適切な時点での使用のために記憶されることができる。
【００５３】
例えばＳＴＡ１は、閾値未満の、または閾値の範囲内の受信器要件を有する場合がある、１または複数のＳＴＡを識別することができる。ＳＴＡ１は、共通のやり方でグループ内の受信器に関連付けられたそのＣＣＡを変更することができる。
【００５４】
受信器要件は、明示的にまたは暗黙的に収集されることができる。例えばネットワークは、ＡＰ、ＯＢＳＳ内のＳＴＡ（例えばＳＴＡ２）、およびＡＰによって管理されるＢＳＳ内のＳＴＡ（例えばＳＴＡ１）を備えることができる。ＳＴＡ（例えばＳＴＡ２）は、その送信電力および／またはその最小受信電力および／または所望の動作点（例えばＭＣＳおよびＳＮＲ）に対するヘッドルームを備えたパケットを、ブロードキャスト（例えば定期的にブロードキャスト）することができる。所望の動作点は、例えばＡＰまたは送出側による、ＳＴＡの受信されたＡＣＫ／ＮＡＫ統計から、導き出されるおよび／または決定されることができる。所望の動作点は、予め指定されることができる。このパケットを受信するＳＴＡ（例えばＳＴＡ１）は、ＯＢＳＳ  ＳＴＡ（例えばＳＴＡ２）の受信器に対するそれらの送信の影響を推定（例えば暗黙的に推定）することができる。
【００５５】
例えばフレーム交換は、２つのＳＴＡ（例えばＳＴＡ１およびＳＴＡ２）の間で、ＳＴＡ１からＳＴＡ２への、それの受信電力要件に対する要求（例えば明示的要求）により発生することができる。ＳＴＡ２は、所望の動作点（例えばＭＣＳまたはＳＮＲ）に対するそれの送信電力および／または最小受信電力を示すフレームを送ることができる。他のＳＴＡは、この送信をオーバーヒアすることができ、情報を本明細書で述べられるように利用することができる。ＢＳＳ間の要求が、可能にされることができる。例えばＳＴＡ１は、ＳＴＡ２が送信しているときに受信される電力を測定することによって、ＳＴＡ２の受信器電力要件を推定（例えば暗黙的に推定）することができる。ＳＴＡ１は、ＳＴＡ２の送信電力および所望の動作点を、明示的にまたは暗黙的に知ることができる。
【００５６】
送信器および／または受信器特性（例えばＢＳＳカラーおよび／またはＲｘ感度）に基づくＣＣＡがもたらされることができる。ＳＴＡ（例えばＳＴＡ１）によって用いられるＣＣＡ閾値基準は、ＳＴＡによってオーバーヒアされた送信が例えばＢＳＳカラー／ＲＡを用いてそれ自体のＢＳＳ内かまたはＯＢＳＳからであるかどうか、および／またはＯＢＳＳ送信の受信側のＲｘ感度、に基づいて変更されることができる。この情報に基づいて、例示的ＣＣＡ閾値が本明細書で述べられるように推定されることができる。本明細書で様々に述べられるようにＣＣＡ閾値推定は、推定されたＣＣＡ閾値の設定および／または使用を含むことができる。ＳＴＡ（例えばＳＴＡ１）は、パケット送信をオーバーヒアする、および／またはＳＩＧフィールドを復号することができる。送信がＳＴＡ自体のＢＳＳ内のノードからである場合、送信は保護（例えば常に保護）され、以下に繋がる。
ＣＣＡ＝−ｉｎｆ（例えばまたは許容範囲の最小値）
【００５７】
送信がＯＢＳＳ内のノードからである場合、送信は新しいＣＣＡ閾値を推定することに基づいて保護されることができる。チャネルにおけるエネルギーが新しいＣＣＡ閾値を超える場合、送信は保護されることができる。チャネルにおけるエネルギーが新しいＣＣＡ閾値未満である場合、ＳＴＡは自由に送信することができる。ＣＣＡ閾値は以下として推定されることができる。
ＣＣＡ（ｄＢｍ）＝ＣＣＡ＿ｎｏｍｉｎａｌ（ｄＢｍ）＋Ｍａｒｇｉｎ（ｄＢ）
Ｍａｒｇｉｎ＝ｆ（ＡＰ＿ＳＴＡ１，ＳＴＡ２＿ＳＴＡ１）
マージンがそれを用いて決定される関数は、ＳＴＡからの、それらの受信器感度、送信電力レベル、送信ヘッドルーム、または能力その他の、１または複数などの情報を含むことができる。ＣＣＡ＿ｎｏｍｉｎａｌ、マージン、ＡＰ＿ＳＴＡ１、またはＳＴＡ２＿ＳＴＡ１の１または複数が、想定されることができる。ＣＣＡ＿ｎｏｍｉｎａｌは、ネットワークに対するベースラインＣＣＡ、および／またはネットワークにおいて用いられるＢＳＳ固有のＣＣＡを指すことができる。マージンは、公称ＣＣＡのＳＴＡ固有の変更を指すことができる。マージンは、それ自体のＢＳＳ内のＳＴＡ例えばＳＴＡ１と、ＳＴＡ自体のＢＳＳ内のＡＰ例えばＡＰ１との間の、ＳＴＡ自体のＢＳＳ例えばＢＳＳ１における送信、および／またはＳＴＡ１の観点からのＯＢＳＳ例えばＢＳＳ２内の、それのＡＰからのパケットを受信する（例えば現在受信している）ＯＢＳＳ  ＳＴＡ例えばＳＴＡ２の受信器要件の、関数とすることができる。いくつかまたはすべてのＳＴＡに対するマージンがゼロである場合、ＣＣＡ調整はＢＳＳ全体にわたるものとなり得る。Ｍａｒｇｉｎの計算に用いられるＡＰ＿ＳＴＡ１は、例えばＢＳＳ１内のＳＴＡ１からＡＰ１への送信に基づく、ＡＰの受信器要件を指すことができる。例えばこれは、ＡＰにおける送信のＳＩＮＲ、またはＳＴＡ１による送信によりＡＰにおいて受信される電力（例えばまたはその逆）によって推定される、ＡＰ１とＳＴＡ１との間のチャネル利得の関数とすることができる。より高いチャネル利得またはより高いＳＩＮＲ／受信電力を有するＳＴＡは、より高速に、および／またはＢＳＳ外送信への干渉が少ない状態で送信することができ、より高いＣＣＡを有することができ、および／または逆も同様である。
【００５８】
Ｍａｒｇｉｎの計算に用いられるＳＴＡ２＿ＳＴＡ１は、例えばＳＴＡ１からＡＰ１への送信に基づく、ＳＴＡ２の受信器要件を指すことができる。例えばこれは、ＳＴＡ１による送信によってＳＴＡ２において受信される電力により推定される、ＳＴＡ２とＳＴＡ１との間のチャネル利得の関数とすることができる（例えばまたはその逆）。より高いチャネル利得またはより高いＳＩＮＲ／受信電力を有するＳＴＡは、より高速に、およびＢＳＳ外送信への干渉が少ない状態で送信することができ、より高いＣＣＡを有することができ、および／または逆も同様である。
【００５９】
例えば、
【００６０】
【数１】
2019220999.tif 000003
【００６１】
であり、ただしＣＣＡ＿ｂｉａｓはネットワークにおいてＣＣＡが変化されることができる範囲に等しく、Ｇａｉｎ＿ｍｉｎは所望の最悪チャネルに関連付けられたチャネル利得とすることができ、Ｇａｉｎ＿ｍａｘは所望の最良チャネルに関連付けられたチャネル利得とすることができる。
【００６２】
チャネル利得を推定するために、以下の機構の１または複数が利用されることができる。チャネル利得を推定するために、ＡＰは、フレーム内にその送信電力についての情報を有するブロードキャストフレームを送出することができる。１または複数の（例えば各）ＳＴＡは、送信電力情報および／または受信電力を用いて、ＡＰからのチャネル利得を推定することができる。ＡＰは、１または複数の（例えば各）ＳＴＡにポーリングすることができ、１または複数の（例えば各）ＳＴＡは、推定されたチャネル利得をフィードバックすることができる。１または複数の（例えば各）ＳＴＡは、それがＡＰに送る任意のフレーム上に、チャネル利得についての情報を送り返す（例えばピギーバックする）ことができる。ＡＰは、特定の持続時間内に情報を送り返さなかった可能性があるＳＴＡにポーリングすることができる。
【００６３】
チャネル利得を推定するために、ＡＰはＳＴＡに、ＳＴＡが送ることができるパケット（例えば任意のパケット）においてその送信電力を含めるように要求する、フレームを送出することができる。ＡＰは１または複数のＳＴＡ（例えば各ＳＴＡ）に、フレーム上にピギーバックされた送信電力情報を有するヌルデータパケット（ＮＤＰ）を送るように、ポーリングすることができる。ＡＰは、この情報を用いて、特定のＳＴＡに対するチャネルの利得を推定することができる（例えばチャネル相反性を仮定して）。
【００６４】
ＣＣＡ閾値推定がもたらされることができる。例えばＣＣＡ基準は、以下の１または複数に基づいて選択されることができる。ＳＴＡ１は、パケット送信をオーバーヒアする、および／またはＳＩＧを復号することができる。ＳＴＡ１が、受信されたパケット送信はそれ自体のＢＳＳ送信に属すると決定した場合、送信は保護されることができる（例えば常に保護されることができる）。ＣＣＡは、−ｉｎｆ（例えばまたは許容範囲の最小値）に等しくすることができる。ＳＴＡ１が、受信されたパケット送信はそれ自体のＢＳＳ送信に属さないと決定した場合、送信は例えば新しいＣＣＡ閾値を推定することに基づいて保護されることができる。チャネルにおけるエネルギーがＣＣＡ閾値を超える場合、送信は保護されることができる。チャネルにおけるエネルギーがＣＣＡ閾値未満である場合、ＳＴＡは自由に送信することができる。この場合、推定されるＣＣＡ閾値は、ＯＢＳＳ送信が検出されたか否かに依存することができる。この場合、ＯＢＳＳシナリオでのＣＣＡ閾値は、非ＯＢＳＳシナリオでのＣＣＡ閾値とは異なることができる。ＣＣＡ閾値は以下として推定されることができる。
ＣＣＡ（ｄＢｍ）＝ＣＣＡ＿ｎｏｍｉｎａｌ（ｄＢｍ）−Ｍａｒｇｉｎ（ｄＢ）
【００６５】
受信された送信がＯＢＳＳ送信である場合、マージンは以下に設定されることができる。
【００６６】
【数２】
2019220999.tif 000004
【００６７】
送信が受信されない場合、および／または送信が、識別されないＢＳＳから受信された場合、マージンは以下に設定されることができる。
【００６８】
【数３】
2019220999.tif 000005
【００６９】
ＣＣＡ閾値は、ＣＣＡをＳＴＡ固有とするのではなく、例えばチャネル利得に基づいてグループ化されることができる。例えば一定の利得範囲内のＳＴＡは、同一の値に設定されたそれらのマージンを有することができる。これは範囲内の特定の利得値、例えば同一のマージンを有するなどの、最大利得、最小利得、または平均利得（例えば平均値または中央値利得）に関連付けられたマージンとすることができる。ＭＵ−ＭＩＭＯにおいてなど、ＳＴＡが基準に基づいて一緒にグループ化される場合、ＣＣＡはグループＩＤに関連付けられることができ、特定のグループに属するＳＴＡには、そのグループＩＤに対するＣＣＡ閾値が割り当てられることができる。
【００７０】
ＢＳＳカラーに基づいたＴＰＣがもたらされることができる。ＳＴＡ（例えばＳＴＡ１）によって用いられるＣＣＡ閾値基準および送信電力は、例えばＳＴＡによってオーバーヒアされた送信が例えばＢＳＳカラーを用いた、それ自体のＢＳＳ内であるかＯＢＳＳからであるかどうか、および／またはＯＢＳＳ送信の受信側のＲｘ感度、に基づいて変更されることができる。
【００７１】
ＣＣＡ基準および送信電力は、本明細書で述べられるように設定されることができる。ＳＴＡ（例えばＳＴＡ１）は、パケット送信をオーバーヒアする、および／またはＳＩＧフィールドを復号することができる。送信がＳＴＡ自体のＢＳＳ内のノードからである場合、送信は保護されることができる（例えば常に保護されることができる）。このような場合、送信は存在できない。ＣＣＡは、−ｉｎｆ（例えばまたは許容範囲の最小値）に等しくすることができる。送信するＳＴＡに対する送信電力は、ＳＴＡとＡＰとの間の利得の関数として設定されることができる。
Ｔｘ＿ｐｏｗｅｒ＝ｎｏｍｉｎａｌ＿Ｔｘ＿ｐｏｗｅｒ−（Ｒｘ＿ｐｏｗｅｒ＿ＡＰ１−Ｒｘ＿ｐｏｗｅｒ＿ｄｅｓｉｒｅｄ＿ＡＰ１）
送信がＯＢＳＳ内のノードからである場合、ＣＣＡ閾値基準および送信電力は以下として推定されることができる。
ＣＣＡ＝ＣＣＡ＿ｎｏｍｉｎａｌ＋Ｍａｒｇｉｎ
Ｔｘ＿ｐｏｗｅｒ＝Ｔｘ＿ｐｏｗｅｒ＿ｎｏｍｉｎａｌ−Ｍａｒｇｉｎ
Ｍａｒｇｉｎ＝ｆ（ＡＰ＿ＳＴＡ１，ＳＴＡ２＿ＳＴＡ１）
この場合、ＳＴＡ送信電力は、それの受信側と、ＯＢＳＳ送信の受信側との関数とすることができる。ＡＰ＿ＳＴＡ１は、例えばＳＴＡ１からＡＰ１への送信に基づく、ＡＰの受信器要件を指すことができる。例えばこれは、ＡＰ１における送信の信号対干渉および雑音比によって推定されるＡＰ１とＳＴＡ１との間のチャネル利得、またはＳＴＡ１による送信によるＡＰ１において受信される電力（例えばまたはその逆）の関数とすることができる。より高いチャネル利得またはより高いＳＩＮＲ／受信電力を有するＳＴＡは、より高速に、およびＢＳＳ外送信への干渉が少ない状態で送信することができ、より高いＣＣＡを有することができ、および／または逆も同様である。ＳＴＡ２＿ＳＴＡ１は、例えばＳＴＡ１からＡＰ１への送信に基づく、ＳＴＡ２の受信器要件を指すことができる。例えばこれは、ＳＴＡ１による送信によってＳＴＡ２において受信される電力により推定される、ＳＴＡ２とＳＴＡ１との間のチャネル利得の関数とすることができる（例えばまたはその逆）。より高いチャネル利得またはより高いＳＩＮＲ／受信電力を有するＳＴＡは、より高速に、およびＢＳＳ外送信への干渉が少ない状態で送信することができ、より高いＣＣＡを有することができ、および／または逆も同様である。例えば、
【００７２】
【数４】
2019220999.tif 000006
【００７３】
であり、ただしＣＣＡ＿ｂｉａｓはネットワークにおいてＣＣＡが変化される範囲に等しく、Ｇａｉｎ＿ｍｉｎは所望の最悪チャネルに関連付けられたチャネル利得に等しくすることができ、Ｇａｉｎ＿ｍａｘは所望の最良チャネルに関連付けられたチャネル利得に等しくすることができる。例えば以下となる。
【００７４】
【数５】
2019220999.tif 000007
【００７５】
例えばチャネル利得はグループＩＤに関連付けられることができ、特定のグループに属するＳＴＡには、特定のチャネル利得が割り当てられることができる。
【００７６】
ＢＳＳカラーを用いた先進型空間的再利用がもたらされることができる。図６は強い干渉の存在下での意図された信号の重複ＯＦＤＭ送信の例を示す。図６に示されるように、ＳＴＡ（例えば受信するＳＴＡ）は、例えば並行したＯＦＤＭ送信により、同じまたは重複した周波数帯域内で強い干渉に遭遇し得る。例えばこのようなシナリオは、１または複数のＢＳＳが高密度に配備されたときに生じ得る。例えば１または複数のＷｉＦｉ  ＡＰ、および／または１または複数のＳＴＡの間の協調がないことにより、ＯＢＳＳ内の隣接したＡＰまたはＳＴＡはそれらの信号を、重複したキャリア周波数、およびそれら自体のＢＳＳ内のＡＰによって用いられ得るものに対するサブキャリア構造を用いて、送信することができる。高密度に配備されたＷＬＡＮシステムにおいて、ＯＢＳＳ内のＡＰおよび／またはＳＴＡによって誘起された干渉は、極めて困難なものとなり得る。空間領域抑圧または周波数領域抑圧などの直接干渉抑圧機構は、このような高密度の配備のシナリオでは、例えばＳＴＡでの低い信号対干渉比により動作が不十分となり得る。
【００７７】
複数のＯＢＳＳ送信を可能にするための、送信器と受信器との間のシグナリングのためのシステム、方法、および手段がもたらされることができる。カバレージエリアの縁部におけるＳＴＡは、例えばＳＴＡがＣＣＡのために用いられるものと同じ周波数帯域内で未知の干渉信号を検知した場合、関心のある受信信号のプリアンブル内のＢＳＳカラー情報をチェックすることができる。ＳＴＡは、例えばＢＳＳカラーが、信号はＯＢＳＳからであることを示す場合、干渉チャネルのチャネル特性を決定することができる。ＳＴＡによって用いられる機構は、干渉チャネルをサウンディングすること、干渉チャネルの既知の信号成分（例えば送信されたフレームのプリアンブル）を用いて干渉チャネルのチャネル推定を強化すること、および／またはプライマリチャネルなどのサイドチャネルを用いて隣接したチャネルの、可能性があるリソースローディングを決定することを利用することができる。
【００７８】
ＳＴＡおよび／またはＡＰは、例えば干渉が識別されたとき、インテリジェントなリソース割り振りおよび／または干渉抑圧を行うことができる。このようなリソース割り振りおよび／または干渉抑圧は、例えば干渉の影響を制限するため、および／または重複ＢＳＳ内のＳＴＡがデータを送信／受信する、例えば干渉が最小の状態でデータを送信／受信することを可能にするために行われることができる。
【００７９】
チャネルは、時間、周波数、空間、および／またはビームにおけるリソースを有することができる。チャネルリソース割り振りは、これらのリソースの１または複数を用いて、重複ＢＳＳ内で同時に送信する場合があるノード間の相互作用を改善することができる。例えばあるリソースにおいて干渉が疑われる場合、代替リソースが用いられることができる。チャネルは、周波数において直交することができる複数のサブチャネルをサポートすることができる。チャネルは、異なるタイムスロットをサポートして、複数のリソース機会を可能にすることができる。１つのサブチャネルにおいて干渉が疑われる場合（例えばプリアンブルのＢＳＳカラーから集められた情報に基づいて）、他のサブチャネルが送信のために選択されることができる。
【００８０】
チャネルは、下向きに傾けられたおよび／または上向きに傾けられたビームをサポートすることができ、これらは組み合わせて用いられたとき、垂直において無指向性ビームと等価とすることができる。干渉が疑われる場合、上向きに傾いたおよび下向きに傾いたビームにおけるエネルギーが比較されて、干渉の激しさを決定し、および通信のためにより有利となることができるチャネルリソースを識別することができる。この機構は、チャネルリソースのために２つ以上のビームに拡張されることができる。あるチャネルビーム（例えば下向きに傾いたビーム）はＯＢＳＳから干渉を経験しない場合があり、一方、他のビーム（例えば上向きに傾いたビーム）はこのようなＯＢＳＳ干渉を経験する場合がある。
【００８１】
チャネルは、例えば干渉が疑われる場合、干渉の抑圧を可能にするために、送信または受信ビーム形成をサポートすることができる。リソース割り振りを支援するように、シグナリングがもたらされることができる。ビーム形成に関連付けられたシグナリングがもたらされることができる。
【００８２】
ＳＴＡ自体のＢＳＳ内のＡＰにおける、シグナリングおよびビーム形成がもたらされることができる。図７は、ＳＴＡからＳＴＡ自体のＢＳＳ内のＡＰへの、フィードバックパケットのＭＡＣフレームフォーマットを示す。ＳＴＡ自体のＢＳＳにおいてビーム形成をサポートするＳＴＡは、干渉チャネルのチャネル状態情報（ＣＳＩ）を、ＳＴＡ自体のＢＳＳ内のＡＰにフィードバックすることができる。ＡＰは、ＳＴＡにおける受信干渉を回避するためにビーム形成を用いることができる。ＴＰＣ、ＣＣＡ、および／または干渉されるチャネルＩＤは、ＳＴＡ自体のＢＳＳ内のＡＰに送られることができる。ＳＴＡによってＳＴＡ自体のＢＳＳ内のそれのＡＰに送られたメッセージは、ＯＢＳＳ内の並行した送信に対する影響を最小にするために、ＡＰによって利用されることができる。これらのメッセージは、例えば空間的直交送信が使用されるとき、干渉キャンセルのために利用されることができる。
【００８３】
それ自体のＢＳＳ内のＳＴＡは、例えば並行したフィードバックが、ＯＢＳＳにおいて用いられるのと同じ周波数帯域を通じて行われた場合、ＯＢＳＳ内の隣接したデバイスでの進行中の送信に激しい干渉を引き起こす場合がある。フィードバック信号の周波数、時間的、および／または空間的分離が、採用されることができる。これは、ＯＢＳＳ内の通信に対する影響を最小にするために行われることができる。
【００８４】
重複しない周波数サブバンドを用いたシグナリングがもたらされることができる。図８は、重複しないセカンダリチャネルを用いた、ＳＴＡ自体のＢＳＳ内のＡＰへのフィードバック情報を示す。図８に示されるように、ＳＴＡ自体のＢＳＳとＯＢＳＳとの間での、周波数帯域の部分的重複が利用されることができる。図８に示されるように例えば４０ＭＨｚ帯域幅を用いた送信の場合、それ自体のＢＳＳ内のＳＴＡは、空間的再利用を実現および／または可能にするために、ＯＢＳＳによって占有されるプライマリ２０ＭＨｚチャネルを用いることを選択することができる。それ自体のＢＳＳ内のＳＴＡは、ＯＢＳＳ内で用いられるものとは異なるセカンダリ２０ＭＨｚチャネルを選択することができる。重複しないチャネルは、ＳＴＡ自体のＢＳＳ内のＡＰに、重複プライマリチャネルにおける同時送信のために利用される情報を送るための、フィードバックチャネルとして働くことができる。情報取得およびフィードバックは、本明細書で述べられるようにもたらされることができる。ＳＴＡにおいて行われるＣＣＡは、２０ＭＨｚプライマリチャネルが占有され得ることを示すことができる。
【００８５】
ＳＴＡは、例えばＢＳＳカラーをチェックするために、ＳＩＧフィールドを復号することを選択することができる。ＢＳＳカラーは、送信が隣接したＯＢＳＳ内であり得ることを示すことができる。ＳＴＡは、他のチャネルにおけるＣＣＡを継続することができ、アイドルのチャネルを決定することができる。ＳＴＡは、２０ＭＨｚプライマリチャネル、およびアイドルの２０ＭＨｚチャネルを用いるように決定することができる。アイドルの２０ＭＨｚチャネルは、同時送信のためにＯＢＳＳにおいて用いられるセカンダリチャネルとは異なるものとすることができる。ＳＴＡは、例えば受信された干渉信号に基づいて、干渉チャネルを推定することができる。ＳＴＡは、プライマリおよびセカンダリチャネルのチャネルＩＤ、ＣＣＡ、ＴＰＣ、干渉チャネルＣＳＩ、および／または他の情報を、ＳＴＡ自体のＢＳＳ内のＡＰに送ることができる。ＳＴＡは、重複しないセカンダリチャネルを通じて情報を送ることができる。ＳＴＡ自体のＢＳＳ内のＡＰは、フィードバック情報を用いて、適切な送信電力を選択することができる。送信電力は、隣接したＯＢＳＳにおいて干渉（例えば著しい干渉）に繋がり得ないものとすることができる。干渉されたプライマリチャネルおよび干渉されないセカンダリチャネル上で、同時送信が進行することができる。
【００８６】
空間直交送信を用いたシグナリングがもたらされることができる。空間直交送信は、ＳＴＡによって、それ自体のＡＰに情報をフィードバックするために用いられることができる。例えば強力な空間領域処理能力を有するＳＴＡは、このような空間直交送信を用いることができる。それ自体のＢＳＳ内のＳＴＡは、複数のアンテナを有することができる。複数のアンテナは、空間的ヌルを生成するために用いられることができる。ＯＢＳＳからの干渉信号によって占有される空間的大きさは、過大ではない場合がある。大きな干渉信号の場合、それ自体のＢＳＳ内のＳＴＡは、空間直交送信を処理することができなくなり場合がある。
【００８７】
空間直交送信を用いたシグナリングのための複数の応用の例が存在することができる。例えば隣接したＯＢＳＳ内の１または複数（例えばすべて）のレガシーデバイスは、単一入力単一出力（ＳＩＳＯ）モードで送信（例えば常に送信）することができる。それ自体のＢＳＳ（例えばプライマリＢＳＳ）内のＳＴＡは、ＯＢＳＳ内の進行中の送信ストリームの数より多くなり得る十分な数のアンテナを有することができる。例において、ＯＢＳＳ内に２つの送信があり、１つのＯＢＳＳのみがアクティブである場合がある。この場合、それ自体のＢＳＳ内のＳＴＡは、ＯＢＳＳからの干渉の２つのストリームをキャンセルすることを可能にするように、３つ以上のアンテナを有することができる。例において隣接したＯＢＳＳ内のデバイスは、ＭＩＭＯ送信を用いることができる。ＯＢＳＳ内に、それらの関連付けられたＡＰに同時に送信し得るいくつかのＳＴＡが存在し得るので、干渉信号の全体の空間的大きさは大きくなり得る。それ自体のＢＳＳ内のＳＴＡは、空間的ヌル化（例えば空間的ヌル化のみ）のために必要となり得る数のアンテナを有しない場合がある。隣接したＡＰが送信するとき、ＯＢＳＳ内の関連付けられたＳＴＡは、ミュートされると想定されることができる。それ自体のＢＳＳ内のＳＴＡは、隣接したＡＰの送信中に、情報をフィードバック（例えばフィードバックのみ）するように選択することができる。このような場合、ＳＴＡは、隣接したＡＰのそれより多くの数のアンテナを有することが必要となり得る。
【００８８】
図９は、空間直交フィードバックを示す。図９に示されるように、９０２で、それ自体のＢＳＳ内のＳＴＡにおけるＣＣＡプロセスは、スキャンされたチャネルは占有されていることを示すことができる。９０４で、ＳＴＡは、ＳＩＧフィールドを復号して、ＢＳＳカラーをチェックすることができる。ＢＳＳカラーは、送信が、隣接したＯＢＳＳからであり得ることを示すことができる。ＳＴＡは、例えば受信された干渉信号における長トレーニングフィールド（ＬＴＦ）を用いて、干渉チャネルのチャネル状態情報（ＣＳＩ）を推定することができる。９０６で、ＳＴＡは、空間時間ブロック符号化（ＳＴＢＣ）、空間時間ストリームの数（ＮＳＴＳ）、および／またはＳＩＧフィールドからのビーム形成された情報などの、送信パラメータを決定することができる。この情報は、ＯＢＳＳ内のデバイスがＭＩＭＯを用いるか否かを決定するために用いられることができる。例えばＮＳＴＳ＞１およびＳＴＢＣ＝１の場合、ＭＩＭＯ構成が示されることができる。他の例においてＮＳＴＳ＝１およびＳＴＢＣ＝０の場合、ビーム形成ビットがチェックされることができる。ビーム形成ビットが１である場合、ＭＩＭＯが用いられることができる。ＳＴＢＣ、ＮＳＴＳ、およびビーム形成ビットの他の組み合わせは、ＳＩＳＯモードを示すことができる。９１０で、隣接したＯＢＳＳにおいてＭＩＭＯモードが使用される場合、それ自体のＢＳＳ内のＳＴＡは、ＳＩＧフィールド内のグループＩＤをチェックして、送信が隣接したＯＢＳＳ  ＡＰから生じたかどうかを識別することができる。ＳＴＡは、隣接したＯＢＳＳ  ＡＰの送信によって占有された信号空間のヌル空間における、ビーム形成ベクトルを計算することができる。９１４で、それ自体のＢＳＳ内のＳＴＡは、計算されたビーム形成ベクトルを利用して、フィードバック情報をＳＴＡ自体のＢＳＳ内のＡＰに送ることができる。それ自体のＢＳＳ内のＳＴＡは、隣接したＯＢＳＳ  ＡＰが送信するとき、同時にフィードバック情報を送ることができる。９０８で、隣接したＯＢＳＳにおいてＳＩＳＯが用いられる場合、それ自体のＢＳＳ内のＳＴＡは、隣接したＯＢＳＳ内のＡＰおよび／またはＳＴＡからのいくつかまたはすべての干渉信号のヌル空間における、ビーム形成ベクトルを計算することができる。９１２で、それ自体のＢＳＳ内のＳＴＡは、ビーム形成ベクトルを用いて、フィードバック情報をそのＳＴＡ自体のＢＳＳ内のＡＰに送ることができる。それ自体のＢＳＳ内のＳＴＡは、隣接したＯＢＳＳ内のＡＰおよび／またはＳＴＡが通信している間に、同時にフィードバック情報を送ることができる。
【００８９】
強いＯＢＳＳ干渉を有する同時送信の受信のための受信器の例が、本明細書で述べられる。図１０は、意図されたシンボルがノイズとして混合された、復調された干渉シンボルを示す。受信中にＳＴＡは、例えば干渉によって抑圧される関心のある信号による、エラーにおける干渉信号を復調することを試み得る。図１０に示されるように、干渉信号は、ＳＴＡにおいて高い受信電力を有することができ、高ＱＡＭ変調（例えば１６ＱＡＭ）を用いることができる。ＳＴＡ自体のＢＳＳ内のＡＰによって送られた意図された信号は、受信電力が比較的低い場合があり、ＱＰＳＫ変調を用いることができる。
【００９０】
サイクリックプレフィックス（ＣＰ）の除去、および信号から周波数領域へのＦＦＴを用いた変換の後、ｋ番目のサブキャリア上の受信信号は、
Ｙk＝Ｈ1,kＸ1,k＋Ｈ2,kＸ2,k＋Ｎk
によって表されることができ、ただしＨ1,kはＳＴＡと関連付けられたＡＰとの間の所望のチャネル応答とすることができ、Ｘ1,kはｋ番目のサブキャリア上の意図されたシンボルとすることができ、Ｈ2,kは干渉チャネル応答とすることができ、Ｘ2,kはｋ番目のサブキャリア上の干渉シンボルとすることができる。
【００９１】
受信信号Ｙkは、ｋ番目のサブキャリア上の推定される干渉チャネル
【００９２】
【数６】
2019220999.tif 000008
【００９３】
を用いて等化されることができる。復調された干渉シンボル
【００９４】
【数７】
2019220999.tif 000009
【００９５】
は、実効的なノイズの一部として、意図された信号と共に得られることができる。図１０に示されるように、干渉シンボル信号点配置は小さなドットとして表わされる。それらを通る×印を有する大きなドットは、干渉シンボルの送信された信号点配置を示す。復調された干渉シンボルのシンボルエラーレート（ＳＥＲ）は、例えば意図された信号からのノイズにより高くなり得る。
【００９６】
干渉信号は、ＬＤＰＣまたはバイナリ畳み込み符号（ＢＣＣ）などの強力な誤り訂正符号によって、エンコードされることができる。ＳＴＡは干渉シンボルをデマッピングすることができ、ビットシーケンスを復号することができる。ＬＤＰＣまたはＢＣＣのおかげで、干渉信号の符号化ビットエラーレートは低く（例えばかなり低く）することができる。ＳＴＡは、干渉パケットプリアンブルから得られた変調および符号化方式（ＭＣＳ）情報を用いて、干渉する側の訂正されたビットシーケンスに対するエンコードおよび／または変調を実施することができる。ＳＴＡは、より低い（例えばずっと低い）ＳＥＲを有して、干渉シンボル推定
【００９７】
【数８】
2019220999.tif 000010
【００９８】
を取り出すことができる。
【００９９】
ＳＴＡは、受信信号Ｙkから、推定された強い干渉
【０１００】
【数９】
2019220999.tif 000011
【０１０１】
を差し引くことができる。ＳＴＡは、非干渉送信段階において得られる、それ自体とＳＴＡ自体のＢＳＳ内のＡＰとの間のＣＳＩを用いることができる。ＳＴＡは、強い干渉なしに、意図された信号を復調および／または復号することができる。
【０１０２】
ＯＢＳＳ干渉を取り除くために、例えば干渉キャンセル受信器を用いるのではなく、干渉除去受信器などの干渉抑圧受信器が用いられることができる。ＯＢＳＳ送信は、例えばＳＴＡ自体のＢＳＳ内の送信の前に開始することができ、これはＳＴＡがチャネルを推定する、および／またはＳＩＧフィールドを復号しカラーを識別することを可能にすることができる。ＳＴＡ自体のＢＳＳ内の送信のためのパケットは、ＯＢＳＳ送信のための送信の後に終了することができる。この場合、ＳＴＡ１からＳＴＡ自体のＢＳＳ内のＡＰへのＡＣＫの送信は、通常通り生じることができる。例においてＳＴＡのそのＢＳＳ内の送信のためのパケットは、例えばＯＢＳＳ送信からの送信の前に終了することができる。成功した復号に対するＡＣＫを返すことは、結果としてＳＴＡ２における干渉を生じ得る。この場合、送信をＡＰ１に方向付けるために、ビーム形成器が用いられることができる。送信器に肯定応答を送信するために、延期型ＡＣＫが用いられることができる。例えばＳＴＡ１およびＡＰ１は、ＳＴＡがそれ以内でＡＣＫを送ることができる最大延期時間（例えば最大の送信の数）についてネゴシエートし、合意することができる。ＡＰおよびＳＴＡが延期型ＡＣＫの可能性について合意した場合、ＡＰは送信を完了し、延期型ＡＣＫ要求を送ることができる。これは、ネットワークの残りの部分が送信を再開することを可能にすることができる。ＳＴＡは、延期型ＡＣＫを送ることができる。例えばＳＴＡは、それの都合のいいときに延期型ＡＣＫを送ることができる。
【０１０３】
図１１は、例示的ＷＬＡＮにおける干渉キャンセルおよび延期型ＡＣＫを示す。ＢＳＳカラーを利用した干渉キャンセルもたらされることができる。図１１に示されるように、ＢＳＳ２内のＡＰ２は、延期型ＡＣＫ能力に対する能力要求１１０２を、ＢＳＳ２内のＳＴＡ２に送ることができる。能力要求における情報は、ＡＰが送信は失敗したとことを決定することができる前に、生じることができる最大延期時間、または他のＳＴＡ送信の最大数を含むことができる。要求における情報は、例えば延期がない場合に、成功したＡＣＫがそれ以内に送られることができる、持続時間を含むことができる。ＳＴＡは、データの送信の後、ＳＩＦＳ−ｘ×ｓｌｏｔ＿ｔｉｍｅにおいてＡＣＫを送出することができる。これは、例えばＢＳＳ内の送信の再開を可能にするために、ＡＰがそのデータを送った後、ＡＰがＳＩＦＳ時間において延期型ＡＣＫフレームを送出することを可能にするためであり得る。
【０１０４】
ＳＴＡ２は、それが延期型ＡＣＫ能力を有し得ることを示す、能力応答を送ることができる。ＳＴＡ２は、異なる延期型ＡＣＫパラメータを用いて応答することができる。ＳＴＡ２は、干渉１１０４（例えば激しい干渉）を（例えば縁部ＳＴＡとして）経験する場合があり、延期型ＡＣＫモードに入ることを決定することができる。ＳＴＡ２はＡＰ２に、延期型ＡＣＫモード要求を送ることができる。ＡＰ２はＳＴＡ２に、このＳＴＡとの送信が今後、延期型ＡＣＫモードになり得ることを示す、延期型ＡＣＫモード応答を送ることができる。これは、送信が成功した場合、ＡＰ２がＳＴＡ２からのＡＣＫを予期することができる時間を示すパラメータｘなどの、パラメータを含むことができる。
【０１０５】
図１１に示されるように、ＳＴＡ１は、情報１１０６をＢＳＳ１内のＡＰ１に送ることができる。これは、ＳＴＡ２に対して干渉１１０４（例えば強い干渉）を引き起こし得る。ＳＴＡ１は、ＳＴＡ２が、ＢＳＳ外送信を識別することを可能にするための情報（例えばＢＳＳカラーに加えて受信器アドレス）を送出することができる。ＡＰ２は、例えばＳＴＡ１がＡＰ１に情報を送り得る時間の間に、ＳＴＡ２にフレームを送ることができる。干渉１１０４（例えば強い干渉）は、例えば本明細書で論じられるようにキャンセルされることができる。
【０１０６】
図１２は、延期型ＡＣＫ動作の例を示す。送信の受信に成功したことの肯定応答において、以下の１または複数が生じることができる。図１２に示されるように、ＡＰ２はＳＴＡ２に、例えばＳＴＡ１とＡＰ１との間の送信持続時間より短い送信持続時間を有して、情報を送ることができる。ＳＴＡ２は、送信の終了後のＳＩＦＳ持続時間において、ＡＣＫを送ることができる。ＳＴＡ２によって送られるＡＣＫは、ＡＰ１におけるデータ受信、またはＳＴＡ１におけるＡＣＫ受信に影響する可能性に、影響を与えないことができる。
【０１０７】
ＡＰ２およびＳＴＡ２は、例えばＳＴＡ１からＡＰ１へのプライマリ送信への干渉を回避するために、延期型ＡＣＫを実施することができる。ＡＰ２はその送信後、ＳＩＦＳ持続時間の間、待機することができ、ＡＣＫを受信しないことができる。ＡＰ２は、ＡＣＫ延期型フレームを送出して、ＢＳＳ２内のノードが送信を再開することを可能にすることができる。ＳＴＡ１からＡＰ１への送信の完了後、ＳＴＡ２はチャネルメディアを求めて競合することができ、延期型ＡＣＫをＡＰ２に送ることができる。このフレームは、データ送信にピギーバックされることができる。ＳＴＡ２からＡＰ２への延期型ＡＣＫは、最大延期時間以内で送信されることができる。最大延期時間が満了した場合、ＡＰ２は、送信が失敗したと想定し、ＳＴＡ２に情報を再送信することができる。
【０１０８】
送信の受信に成功したことの肯定応答において、以下の１または複数が生じることができる。図１３は、ＡＣＫ動作の例を示す。図１３に示されるように、ＳＴＡ１は、ＡＰ２とＳＴＡ２との間の送信持続時間を超える送信持続時間を有して、ＡＰ１に情報を送ることができる。ＳＴＡ２は、データ送信の完了後、ＳＩＦＳ−ｘ×ｓｌｏｔ＿ｔｉｍｅを待機することができる。ＳＴＡ２は、ＡＰ２にＡＣＫを送信することができる。
【０１０９】
ＳＴＡ２は、干渉（例えば激しい干渉）が問題となり得ない環境へ移動し得る。ＳＴＡ２はＡＰ２に、延期型ＡＣＫモード停止要求を送ることができる。ＡＰ２はＳＴＡ２に、延期型ＡＣＫモードは今後停止され得ることを示す延期型ＡＣＫモード停止応答を送ることができる。
【０１１０】
送信方式固有ＢＳＳカラーがもたらされることができる。ＢＳＳカラーは、送信に用いられ得る特定の技法についての情報を含むように拡張されることができる。拡張型ＢＳＳカラーは、隣接ＢＳＳ内のＳＴＡが、送信は別のＢＳＳからであり得ることを識別することを可能にすることができる。拡張型ＢＳＳカラーは、隣接ＢＳＳ内のＳＴＡが、隣接ＢＳＳ内で送信するために用いられる特定の方式の特性を識別し、それに従ってその挙動を変更することを可能にする。
【０１１１】
送信方式固有ＢＳＳカラーの例は、隣接ＢＳＳ内のＳＴＡが、ＯＢＳＳ内の送信に適応することを可能にすることができる。本明細書で述べられるように方式は、ＯＢＳＳ情報および／または方式固有情報を含むことができる。ＯＢＳＳ情報および方式固有情報の両方を含めることから恩恵を受け得る例は、ダウンリンク（ＤＬ）ＯＦＤＭＡ、アップリンク（ＵＬ）ＯＦＤＭＡ、ＯＦＤＭ、ＢＳＳサイレンシング、セクタ化された送信による干渉回避、および／またはピアツーピア（Ｐ２Ｐ）送信によるＤＬ／ＵＬ  ＯＦＤＭＡの１または複数を含むことができる。
【０１１２】
ＤＬ  ＯＦＤＭＡにおいて、ＯＦＤＭＡは、帯域の１または複数を空の帯域として有して用いられることができ、またはＡＰはセル中心のＳＴＡに送信することができる。ＤＬ  ＯＦＤＭＡにおいて、隣接ＢＳＳ内の１または複数のＳＴＡは、追加のカラー情報を用いて、隣接ＢＳＳ内のＳＴＡがどこでいつ、ＯＦＤＭＡ送信への干渉が最小の状態で送信できるかを識別することができる。ＯＦＤＭＡ送信のために、サブバンドは２０ＭＨｚ帯域のごく一部分とすることができ（例えばサブチャネル化されたＯＦＤＭＡ送信に対して）、またはそれらは２０ＭＨｚ帯域とすることができる（例えばチャネルベースのＯＦＤＭＡ送信に対して）。
【０１１３】
ＵＬ  ＯＦＤＭＡにおいて、隣接ＢＳＳ内のＳＴＡは、追加のカラー情報を用いてそれらがどこでいつ、帯域の空間的再利用によって、干渉が最小の状態で送信できるかを識別することができる。ＵＬ  ＯＦＤＭＡにおいて、ＯＦＤＭＡは、隣接ＢＳＳ内のアップリンク送信において用いられることができる（例えば、帯域幅全体を占めるＯＦＤＭとは異なる）。ＵＬ  ＯＦＤＭＡにおいて１つの帯域は、ＡＰに近いＳＴＡを有することができる。ＯＦＤＭＡ送信のために、サブバンドは２０ＭＨｚ帯域のごく一部分とすることができ（例えばサブチャネル化されたＯＦＤＭＡ送信に対して）、またはそれらは２０ＭＨｚ帯域とすることができる（例えばチャネルベースのＯＦＤＭＡ送信に対して）。
【０１１４】
ＯＦＤＭにおいて、ＯＦＤＭが隣接ＢＳＳ内で用いられ得る場合、ＢＳＳは、ＯＢＳＳ干渉においてロバスト性があるＳＴＡがいつ、情報を送信および／または受信し得るかを示すことができる。隣接ＳＴＡは、送信するときにこの情報を用いることができる。
【０１１５】
ＢＳＳサイレンシングにおいて、ＯＢＳＳ送信を有する高密度ネットワークでは、ＢＳＳはＢＳＳカラーおよび、所望の時間においておよび所望の持続時間の間沈黙したままになる意図を示すことができる。隣接ＢＳＳは、この情報を用いて、いつ送信するかを決定する（例えば沈黙期間の間に送信することを決定する）ことができ、これはネットワークの性能を改善することができる。
【０１１６】
セクタ化された送信による干渉回避において、高密度ネットワークでは、ＢＳＳはそのカラー、およびＤＬ送信がそれに方向付けられることができるセクタ、および送信持続時間を示すことができる。隣接ＢＳＳは、この情報を用いてネットワークの性能を改善することができる。例えばＯＢＳＳは、特定の強化型カラーを有する送信が検出され得るとき、用いるための特定の直交ビームを識別することができる。
【０１１７】
ピアツーピア（Ｐ２Ｐ）送信によるＤＬ／ＵＬ  ＯＦＤＭＡにおいて、帯域の１または複数が空であるまたは沈黙化された状態でＯＦＤＭＡが用いられる場合、同じＢＳＳ内のＰ２Ｐ  ＳＴＡは、追加のカラー情報を用いてそれらがどこでいつ、ＯＦＤＭＡ送信に対する干渉が最小の状態で送信されることができるかを識別することができる。
【０１１８】
ＯＢＳＳ情報および／または方式固有情報は、送信されるフレームのＳＩＧフィールドにおいて送信されることができる。送信されることができる情報は、アップリンクインディケーションビット、送信ノード／ＢＳＳ識別、方式識別情報、および／または方式固有情報を含むことができる。
【０１１９】
アップリンクインディケーションビットは、送信がアップリンクまたはダウンリンク送信であるかどうかを示すために送信されることができる。送信ノード／ＢＳＳ識別が、送信されることができる。例えばダウンリンク送信（例えばアップリンクインディケーションビットは０に設定される）に対して、送信ノード／ＢＳＳ識別は、ＢＳＳのＢＳＳカラー、およびＭＡＣアドレスまたは部分的ＡＩＤとすることができる。ＢＳＳカラーは、ＳＴＡ自体のＢＳＳまたはＯＢＳＳに関連付けられた送信を識別するために用いられることができる。アップリンク送信（例えばアップリンクインディケーションビットは１に設定される）に対して、送信ノード／ＢＳＳ識別は、送信ノードのＭＡＣアドレスまたは部分的ＡＩＤとすることができる。この場合受信アドレスに記憶されたＭＡＣアドレスまたは部分的ＡＩＤは、ＳＴＡがそれのＢＳＳおよび／またはＯＢＳＳに関連付けられた送信を識別することを可能にすることができる。ＢＳＳカラーは、アップリンクおよびダウンリンク送信の両方において送信されることができる。
【０１２０】
方式識別情報が送信されることができる（例えば情報は、ビットの組み合わせによって伝達されることができる）。用いられる方式は、ＳＩＧにおいて送信されることができる。例えば用いられる特定の方式を識別するために、３ビットフィールドが、アップリンクインディケーションビットと組み合わせて用いられることができる。例えば０００はＯＦＤＭを示すことができ（デフォルト）、００１はＯＦＤＭＡを示すことができ、０１０はＢＳＳサイレンシングを示すことができ、０１１はセクタ化された送信による干渉回避を示すことができ、１００は帯域サイレンシングを有するＯＦＤＭＡを示すことができ、１０１、１１０、および１１１は予約済みとすることができる。ＵＬ／ＤＬ  ＯＦＤＭＡ、ＵＬ／ＤＬ  ＯＦＤＭが利用されるかどうかを識別するために、方向ビットが方式ビットと組み合わされることができる。
【０１２１】
方式固有情報が送信されることができる（例えば情報はビットの組み合わせによって伝達されることができる）。これは、方式のために利用される情報を識別するために用いられることができる。例えばその特定の方式についての情報を通信するために、方式識別情報と共に４ビットフィールドが用いられることができる。例えば同一のフィールドは、用いられる特定の方式に応じて異なる事柄を意味することができる。例えば｛方向ビット｝｛方式｝｛情報｝のフォーマットを用いて、｛ＤＬ｝｛ＯＦＤＭＡ｝｛１１０１｝は、干渉に対してロバスト性があり得るＳＴＡにより、ＯＢＳＳ送信のためにサブバンド３が利用可能である、４つのサブバンドを有するアップリンクＯＦＤＭＡを示すことができる。｛ＤＬ｝｛Ｓｉｌｅｎｃｉｎｇ｝｛１０００｝は、セクタ０がアクティブであるダウンリンクサイレンシングを示すことができる。
【０１２２】
ＵＬ／ＤＬ  ＯＦＤＭＡに対して、送信中に隣接ＢＳＳによって用いられることができる帯域が識別されることができる。例は、ＡＰでの（例えばＵＬ送信における）、またはＳＴＡでの（例えばＤＬ送信における）受信として、隣接ＢＳＳ内のＢＳＳ中心のＳＴＡへの送信のために利用されることができる帯域を識別することを含むことができる。このような帯域は、干渉に対してロバスト性が高くなり得る。
【０１２３】
ＵＬ／ＤＬ  ＯＦＤＭＡに対して、送信中に隣接ＢＳＳによって用いられることができない帯域が識別されることができる。例は、ＡＰでの（例えばＵＬ送信における）、またはＳＴＡでの（例えばＤＬ送信における）受信として、隣接ＢＳＳ内のＢＳＳ縁部のＳＴＡへの送信のために利用されることができる帯域を含む。このような帯域は、干渉に対してロバスト性が低くなり得る。
【０１２４】
ＯＦＤＭに対して、送信に対してロバスト性があるＳＴＡが送信または受信しているときが識別されることができる。隣接ＳＴＡは、送信するときにこの情報を用いることができる。ＢＳＳサイレンシングにおいて、沈黙期間の開始および持続時間が識別されることができる。セクタ化された送信での干渉回避のために、送信の開始および持続時間が識別されることができる。例えばＯＢＳＳにおけるアクティブなセクタ、およびアクティブなセクタ方向が識別されることができる。いずれのＯＢＳＳ送信によっても用いられることができないセクタが、識別されることができる。ＣＣＡ閾値情報のために、強化型カラー情報は、本明細書で述べられるものなどの所望のＲｘ感度／閾値を含むことができる。
【０１２５】
強化型ＢＳＳカラーを用いたＵＬ／ＤＬ  ＯＦＤＭＡ送信がもたらされることができる。図１４は、ＵＬ／ＤＬ  ＯＦＤＭＡ  ＷＬＡＮシステムの例を示す。図１５は、ＵＬ／ＤＬ  ＯＦＤＭＡパケット交換タイプ１の例を示す。図１６は、ＵＬ／ＤＬ  ＯＦＤＭＡパケット交換タイプ２の例を示す。図１７は、ＵＬ／ＤＬ  ＯＦＤＭＡパケット交換タイプ３を示す。本明細書で述べられる例は、ダウンリンクＯＦＤＭＡにおいて用いられることができる。例えばＤＬ  ＯＦＤＭＡ送信は、４つのサブバンドを有することができる。図１４、図１５、図１６、および図１７に示されるように、ＢＳＳ２内のＡＰ２はダウンリンクＯＦＤＭＡ送信を始動することができる。ＢＳＳ２内のＡＰ２は、ＳＩＧフィールドにおいて、ＳＴＡ４およびＳＴＡ５によって占有されるサブチャネルは、例えばそれらがＡＰに近いことにより、ＯＢＳＳ干渉に対してロバスト性があり得ることを示すことができる。ＢＳＳ１内のＳＴＡ１は、ＢＳＳ２送信をオーバーヒアすることができ、サブチャネルのいずれかまたは両方においてその送信をスケジュールすることができる。
【０１２６】
図１４、１５、１６、および１７に示されるように、ＢＳＳ２内のＡＰ２は、ＯＦＤＭＡを用いてそのＢＳＳ内のＳＴＡに情報を送ることができる。例えばＢＳＳ２は、いくつかまたはすべてのＳＴＡにＯＦＤＭＡスケジュールフレームを送ることによって、ＳＴＡ２（例えばチャネル１を用いて）、ＳＴＡ３（例えばチャネル２を用いて）、ＳＴＡ４（例えばチャネル３を用いて）、およびＳＴＡ５（例えばチャネル４を用いて）と、ダウンリンクＯＦＤＭＡ送信を始動することができる。ＳＴＡのそれぞれは、ＯＦＤＭＡ応答フレームにより返答することができる。ＡＰは、ＳＴＡに情報を送信することができる。送信の受信に成功したＳＴＡは、肯定応答（ＡＣＫ）により返答することができる。
【０１２７】
強化型ＢＳＳカラー情報は、以下のフレームの１または複数（例えばすべて）のＳＩＧフィールドにおいて送信されることができる。強化型カラー情報は、１または複数のチャネル（例えばチャネル３および／またはチャネル４）が送信のために利用可能であることを示すことができる（例えば｛１１００｝を送信することによって）。ＯＦＤＭＡ／ＣＯＢＲＡチャネルは、ＯＦＤＭＡ／ＣＯＢＲＡ送信のためのチャネルリソースを予約するために、ＯＦＤＭＡ／ＣＯＢＲＡフレームを予約またはスケジュールすることができ、および／または１または複数のＳＴＡ（例えばＳＴＡ２、ＳＴＡ３、ＳＴＡ４、およびＳＴＡ５）によって用いられるサブチャネルを示すことができる。ＳＴＡ（例えばＳＴＡ２、ＳＴＡ３、ＳＴＡ４、およびＳＴＡ５）の１または複数（例えばそれぞれ）からの１または複数のＯＦＤＭＡ／ＣＯＢＲＡ応答フレームは、スケジュールフレームの受信に対して肯定応答（ｓｃｈＡＣＫ）するために用いられることができる。ＳＴＡの１または複数（例えばそれぞれ）は、ＳＴＡに近いＯＢＳＳ  ＳＴＡに、そのＳＴＡについての情報をもたらすように、強化型カラー情報全体を送出することができる。ＳＴＡの１または複数（例えばそれぞれ）は、基本ＢＳＳカラー情報、特定の方式についての情報、および／またはＳＴＡにそれが割り当てられた（例えば割り当てのみ）サブチャネルについての情報を送ることができる（例えば送るのみ）。
【０１２８】
図１５に示されるように、タイプＩパケット交換においてカラー情報は、サブバンドの１または複数（例えばそれぞれ）上に送られることができる。図１６に示されるように、タイプＩＩパケット交換においてカラー情報は、チャネル帯域幅（例えばチャネル帯域幅全体）にわたって送られることができる。図１７に示されるように、タイプＩＩＩパケット交換においてカラー情報は、帯域幅（例えば帯域幅全体）にわたって送られることができ、例えば重複を回避するために時間遅延されることができる。図１７に示されるように、ＳＴＡのそれぞれに関連付けられたｓｃｈＡＣＫフレームは、それぞれのサブバンド上に同時に送られることができる。ｓｃｈＡＣＫフレームの１または複数は、ブランク送信またはダミー情報１７０２によって先行されることができる。このダミー情報１７０２は、例えばＯＦＤＭＡスケジュールグループにおけるＳＴＡの位置に基づいて、受信器によってスキップされることができる。ＯＦＤＭＡデータフレームは、ＡＰから、１または複数のＳＴＡのそれぞれ（例えばＳＴＡ２、ＳＴＡ３、ＳＴＡ４、およびＳＴＡ５のそれぞれ）に送られることができる。ＡＣＫフレームは、１または複数のＳＴＡ（例えばＳＴＡ２、ＳＴＡ３、ＳＴＡ４、およびＳＴＡ５のそれぞれ）から送られることができる。送信される強化型カラー情報は、ｓｃｈＡＣＫにおいて送信されるものと同様とすることができる。強化型カラー情報は同一とすることができ、および／またはＯＦＤＭＡ送信フレーム交換において、フレームの１または複数（例えばすべて）において送信されることができる。
【０１２９】
図１５、図１６、および／または図１７に示されるように、例えばＢＳＳ１内のＳＴＡ１は、例えばＢＳＳ２内のＡＰ２またはＳＴＡ２からの、ＢＳＳ２からの送信をオーバーヒアすることができる。例えば高密度環境において、ＳＴＡ１は、ＡＰ２からのＣＯＢＲＡスケジュールフレームをオーバーヒアすることができる。例えば受信されるフレームは、ＳＴＡ１の受信器感度より大きな電力を有して受信されることができる。ＳＴＡ１は、ＳＴＡ２からのｓｃｈＡＣＫフレームをヒアリングすることができる。
【０１３０】
ＳＴＡ１は、ＢＳＳ２からの受信された送信のプリアンブルを復号することができる。例えばプリアンブルは、強化型ＢＳＳカラー情報による更新されたＳＩＧフィールドを備えることができる。ＳＴＡ１は、１または複数のチャネル（例えばチャネル３およびチャネル４）上でＣＳＭＡ／ＣＡチャネルアクセスを再開することができる。ＳＴＡ１は、チャネルのいずれか（例えば図１５、図１６、図１７に示されるようにチャネル３）において、ＡＰ１に情報を送ることができる。
【０１３１】
ＢＳＳ１内のＳＴＡ１は、ＢＳＳ１内のＡＰ１に、ＳＴＡ１が使用できるチャネル、および／またはＳＴＡ１が使用できないチャネルの識別を示すことができる。例えばＳＴＡ１はこのようなインディケーションを、ダウンリンクＯＦＤＭＡ／ＣＯＢＲＡチャネル要求（例えばＢＳＳ１内のＡＰ１からの）に応答して通信することができる。ＳＴＡ１は、それが１または複数のチャネル（例えばチャネル３またはチャネル４のみ）を使用できること、および／またはそれが１または複数のチャネル（例えばチャネル１または２）を使用できないことを示すことができる。ＳＴＡ１は、アップリンクＯＦＤＭＡ／ＣＯＢＲＡデータ要求（例えばＡＰ１への）を、それがチャネル３またはチャネル４（例えばチャネル３またはチャネル４のみ）を使用できる旨の、および／またはそれがチャネル１または２を使用できない旨の情報と共に送ることができる。ＳＴＡ１は情報をＳＴＡ１のＢＳＳ内のＡＰ（例えばＢＳＳ１内のＡＰ１）に、ＯＢＳＳ内のＡＰ（例えばＢＳＳ２内のＡＰ２）への影響が最小の状態で送ることができる。
【０１３２】
アップリンクＣＯＢＲＡ／ＯＦＤＭＡ送信は、本明細書で述べられるようにダウンリンクＯＦＤＭＡと同様とすることができる。例えばＳＴＡはＡＰに、そのバッファ内のデータに基づいてスケジュールするように要求を送ることができる。ＳＴＡはＡＰから、特定の帯域において送信するためのＯＦＤＭＡスケジューリングフレームを受信することができる。ＳＴＡはＡＰに、強化型カラー情報によりｓｃｈＡＣＫを送ることができる。ＳＴＡはＡＰに、強化型カラー情報によりデータを送ることができる。
【０１３３】
強化型ＢＳＳカラーによるＵＬ／ＤＬ  ＯＦＤＭ送信がもたらされることができる。図１８は、強化型ＢＳＳカラーによるＵＬ／ＤＬ  ＯＦＤＭ送信の例を示す。図１９は、ＵＬ／ＤＬ  ＯＦＤＭパケット交換の例を示す。図１８および図１９に示されるように、ＢＳＳ１内のＡＰ１は、ＳＴＡ１および／またはＳＴＡ２と通信する（例えばそれらに送信を送る）ことができる。両方の送信に対してＣＣＡ閾値およびＢＳＳカラーが同一であり得る場合でも、例えばプライマリ送信の受信側が干渉に対してロバスト性があり得るとき、強化型ＢＳＳカラーの使用は、ＢＳＳ２内のＳＴＡ３が送信することを可能にする。
【０１３４】
図１８および図１９に示されるように、ＢＳＳ１内のＡＰ１は、ＳＴＡ１にＯＦＤＭ送信を送ることができる。ＢＳＳ１内のＳＴＡ１は、ＯＢＳＳ  ＢＳＳ２内のＳＴＡ３からのＯＢＳＳ干渉に対してロバスト性がない場合がある。ＡＰ１は、その送信のプリアンブル内に、例えばそれがＯＦＤＭ送信を使用し得ること、およびチャネルは使用されることができないことを示す、強化型カラー情報を送ることができる。ＯＢＳＳ  ＢＳＳ２内のＳＴＡ３は、ＢＳＳ１からの送信、および強化型カラー情報をオーバーヒアすることができる。ＳＴＡ３は、それのチャネルをビジーに設定することができ、送信することはできない。
【０１３５】
ＢＳＳ１内のＡＰ１は、ＳＴＡ２に例えば別の時点でＯＦＤＭ送信を送ることができる。ＳＴＡ２は、ＯＢＳＳ  ＢＳＳ２内のＳＴＡ３からのＯＢＳＳ干渉に対してロバスト性があり得る。ＡＰ１は、その送信のプリアンブル内に強化型カラー情報を送り、それがＯＦＤＭ送信を用いること、および／またはチャネルは使用されることができる（例えば並行して）ことを示すことができる。ＯＢＳＳ  ＢＳＳ２内のＳＴＡ３は、ＢＳＳ１からの送信、および／または強化型カラー情報をオーバーヒアすることができる。ＳＴＡ３は、それのチャネルをアイドルに設定することができ、および／または送信することができる。
【０１３６】
強化型ＢＳＳカラーを用いたセクタ化された送信による干渉回避がもたらされることができる。ＡＰ−ＳＴＡペアは、ＡＰおよびＳＴＡがセクタ化されたアンテナを用いて送信することを示すことができる。初期の無指向性送信は、セクタ化された送信の使用、ＢＳＳカラー／ＲＡ情報、および／または送信の方向を含む、情報を示すことができる。この情報は標準によって予め決定されることができ、または発見の例／手順は特定のシーケンスに方向を割り当てることができる。ＯＢＳＳ  ＳＴＡ／ＡＰは、この情報を用いて、それの送信中のＣＣＡ閾値を変更する、および／またはそれがその受信器に情報を送信するために用いることができるセクタを制限することができる。この例は、８０２．１１ａｈにおいて提案される空間的直交送信とは異なり得る。８０２．１１ａｈにおいて空間直交性は、暗黙的に想定されることができる。ＢＳＳカラーは、ＯＢＳＳ  ＳＴＡに情報を送る（例えば明示的に送る）ために用いられることができる。
【０１３７】
ＢＳＳ１内のＡＰ１は、無指向性アンテナを用いて送信して、それが特定のセクタを用い得ることを示すことができる。ＡＰ１は、そのＢＳＳカラー、および／または用いられるセクタについての情報を送信することができる。例えばＡＰ１は、セクタ発見フレームを送出することができる。ＡＰは、一連の交互の無指向性および／またはセクタ化された送信を送信することができる。無指向性送信フレームは、セクタＩＤおよび／またはセクタサブカラー情報を備えることができ、例えばその後に関心のあるセクタにおけるヌルデータパケットの送信が続くことができる。これは、ＢＳＳ（例えばＢＳＳ１）内およびその外部のＳＴＡが、セクタおよびそれのセクタサブカラーを識別することを可能にする。
【０１３８】
ＡＰ１によって無指向性フレームが送信されることができ、これはセクタＩＤのセクタサブカラーへのマッピングを可能にすることができる。１または複数の（例えば各）ＳＴＡはＡＰに、その好ましいセクタおよび／または対応するセクタサブカラーにより返答することができる。これは隣接ＢＳＳ内のＳＴＡが、セクタサブカラーを対応するセクタにマッピングすることを可能にすることができる。
【０１３９】
ＳＴＡ１はＡＰ１に、ＡＣＫフレームを用いて返答することができる。ＡＣＫフレームは、送信が生じ得るＢＳＳ、方式（例えばセクタ化されたアンテナ送信）、または送信の方向の、１または複数についての情報を含むことができる強化型ＢＳＳカラーを備えることができる。ＡＰ１は、ＳＴＡ１への送信を開始することができる。ＢＳＳ２内のＳＴＡ２は、ＡＰ１またはＳＴＡ１のいずれかからの送信をオーバーヒアすることができる。別個のＢＳＳ内で送信が生じ得るとの情報に基づいて、ＳＴＡ２は、送信持続時間の間、そのＣＣＡ閾値を変更することができる。ＢＳＳ１内で送信がある方向に生じ得るとの情報に基づいて、ＳＴＡ２はその送信方式を変更することができる。例においてＳＴＡ２は、例えばＢＳＳ１内で送信がある方向に発生し得る場合、送信を停止することができる。例においてＳＴＡ２は、例えばＢＳＳ１において送信がある方向に発生し得る場合、より低い送信電力または直交／半直交セクタ方向を用いて、ＡＰ２に送信することができる。
【０１４０】
強化型ＢＳＳカラーによるＵＬ／ＤＬ  ＯＦＤＭＡ送信およびピアツーピア（Ｐ２Ｐ）送信がもたらされることができる。ＡＰは、例えばＯＦＤＭＡを用いて、アップリンクおよび／またはダウンリンクにおいて複数のＳＴＡと通信することができる。ネットワーク内のＳＴＡのペアは、互いに直接送信することができる。強化型ＢＳＳカラーの使用は、ＡＰとＡＰに関連付けられたＳＴＡとの間の、およびＰ２Ｐ  ＳＴＡペアの間のデータの送信（例えば同時送信）を容易にすることができる。
【０１４１】
図２０は、強化型ＢＳＳカラーを用いたピアツーピア送信によるＯＦＤＭＡ送信の例を示す。図２１は、図２０におけるエンティティに関係するパケット交換の例を示す。図２０および図２１に示されるように、ＡＰ１は例えばＯＦＤＭＡを用いて、そのＢＳＳ内のＳＴＡに情報を送ることができる。例えばＡＰ１は、１または複数（例えばすべて）のＳＴＡにＯＦＤＭＡスケジュールフレームを送ることによって、ＳＴＡ１（例えばチャネル１を用いて）、ＳＴＡ２（例えばチャネル２を用いて）、およびＳＴＡ３（例えばチャネル３を用いて）とのダウンリンクＯＦＤＭＡ送信を始動することができる。ＳＴＡのそれぞれ（例えばＳＴＡ１、ＳＴＡ２、およびＳＴＡ３）は、ＯＦＤＭＡ応答フレームにより（例えばｓｃｈＡＣＫフレームを用いて）返答することができる。ＡＰは、ＳＴＡにデータを送信することができる。データの受信に成功したＳＴＡは、ＡＣＫにより返答することができる。
【０１４２】
強化型ＢＳＳカラー情報は、ＯＦＤＭＡ／ＣＯＢＲＡチャネル予約またはスケジュールフレーム、１または複数のＯＦＤＭＡ／ＣＯＢＲＡ応答フレーム、ＯＦＤＭＡデータフレーム、および／または１または複数のＡＣＫフレームの、いずれか（例えばまたはすべて）のＳＩＧフィールドにおいて送信されることができる。例えば強化型カラー情報は、チャネル（例えばチャネル４）は沈黙化され、利用可能であることを示す｛１１１０｝を含むことができる。図２１に示されるように、フレーム、例えばＯＦＤＭＡ／ＣＯＢＲＡチャネル予約フレームまたはスケジュールフレームは、ＯＦＤＭＡ／ＣＯＢＲＡ送信のための１または複数のチャネルリソースを予約するために利用されることができる。ＯＦＤＭＡ／ＣＯＢＲＡチャネル予約フレームまたはスケジュールフレームは、１または複数のＳＴＡ（例えばＳＴＡ１、ＳＴＡ２、およびＳＴＡ３）によって用いられるサブチャネルを示すために利用されることができる。１または複数のＳＴＡ（例えばＳＴＡ１、ＳＴＡ２、およびＳＴＡ３のそれぞれ）からのＯＦＤＭＡ／ＣＯＢＲＡ応答フレームは、スケジュールフレームの受信に対して肯定応答するために送られることができる（例えばｓｃｈＡＣＫフレームを用いて）。１または複数の（例えば各）ＳＴＡは、強化型カラー情報（例えば強化型カラー情報全体）を送出して、ＳＴＡに近いＯＢＳＳ  ＳＴＡが、そのＳＴＡ（例えばＳＴＡのみ）についての情報を得ることを可能にすることができる。例えば１または複数の（例えば各）ＳＴＡは、基本ＢＳＳカラー情報、特定の方式についての情報、および／またはそれに割り当てられたことがあり得る（例えばそれのみに割り当てられたことがあり得る）サブチャネルについての情報を、送ることができる（例えば送ることのみができる）。本明細書で論じられるように、タイプＩ、タイプＩＩ、およびタイプＩＩＩカラー情報が用いられることができる。
【０１４３】
図２１に示されるように、ＯＦＤＭＡデータフレームは、ＡＰ（ＡＰ１）からＳＴＡ１、ＳＴＡ２、およびＳＴＡ３の１または複数（例えばそれぞれ）に送られることができる。ＡＣＫフレームは、ＳＴＡ１、ＳＴＡ２、およびＳＴＡ３の１または複数（例えばそれぞれ）から送られることができる。送信される強化型カラーは、ＯＦＤＭＡスケジュールフレーム内で送信されるものと同様とすることができる。強化型カラー情報は同一とすることができ、ＯＦＤＭＡ送信フレーム交換におけるフレームのいずれかまたはすべてにおいて送信されることができる。ＢＳＳ１内のＳＴＡ４は、ＡＰ（ＡＰ１）からの送信をオーバーヒアすることができる。プリアンブル（例えば強化型ＢＳＳカラー情報による更新されたＳＩＧフィールド）を復号するとすぐに、ＳＴＡ４はチャネル４にアクセスすることができ、ＳＴＡ５にＰ２Ｐフレームを送信することができる。ＳＴＡ５は、受信されたＰ２ＰフレームのＡＣＫにより続けることができる。
【０１４４】
空間直交送信がもたらされることができる。図２２は、ＯＢＳＳ干渉、および干渉キャンセルトランシーバ方式の例を示す。例えばショッピングモールまたはアパートにおいて、隣接したＢＳＳが高密度に配備される場合があり、そこでは隣接したＢＳＳのカバレージエリアは、互いに重複される。ＢＳＳ内のＳＴＡは、２つ以上のＢＳＳの重複したカバレージエリア内に位置し得る。図２２に示されるように、そのＢＳＳ例えばＢＳＳ１に属するＳＴＡ２は、ＯＢＳＳ例えばＢＳＳ２のカバレージエリア、ならびにそのＢＳＳのカバレージエリア内に位置し得る。ＯＢＳＳ内のＡＰ２は、図２２のＳＴＡ３およびＳＴＡ４など、それの関連付けられたＳＴＡに信号を送信することができる。ＳＴＡ２は、ＡＰ２によって設定されたＮＡＶの持続時間の間、ＳＴＡ２のＢＳＳ内のＡＰ例えばＡＰ１と通信することはできない。ＳＴＡ２は、ＡＰ２送信の持続時間の間、アイドルとなる必要があり得る。
【０１４５】
本明細書で述べられる例は、図２２に示されるようにＳＴＡ２が、一定の条件下で送信および／または受信することを可能にすることができる。例えばＳＴＡ２は、ＡＰ２からの送信において高スループット長トレーニングフィールド（ＨＴ−ＬＴＦ）、または超高スループット長トレーニングフィールド（ＶＨＴ−ＬＴＦ）を用いて、例えばＡＰ２とＳＴＡ２との間の干渉チャネルを推定することができる。この干渉チャネル状態情報は、ＡＰ２のＮＡＶ持続時間の持続時間において、ＡＰ１とのＳＴＡ２の通信（例えば同時通信）を支援するために利用されることができる。複数のアンテナ構成が、ＡＰ１、ＡＰ２、およびＳＴＡ２のために利用されることができる。本明細書で述べられるように、ＯＢＳＳからの情報を識別するために、ＳＩＧフィールド内のＢＳＳカラーフィールドが用いられることができる。
【０１４６】
ＳＴＡは、ＯＢＳＳ内のＡＰからの干渉送信を識別することができ、本明細書で述べられるようにＳＴＡ自体のＢＳＳ内のＡＰとのそれの通信（例えば同時通信）を協調させることができる。図２２に示されるように、ＯＢＳＳにおいてＡＰ２は、それの関連付けられたＳＴＡ３およびＳＴＡ４との通信を初期化することができる。ＢＳＳカラーおよび空間的ストリームの総数は、プリアンブルのＳＩＧフィールド内に示されることができる。ＳＴＡ２は、ＡＰ１に関連付けられることができる。ＳＴＡ２は、ＡＰ２からのＲＴＳをヒアリングする、および／またはＡＰ２から信号を受信するように準備することができる。ＳＴＡ２は、ＡＰ２からデータパケットを受信することができる。ＳＴＡ２は、チャネルを推定するおよび／またはＢＳＳカラーフィールドをチェックすることを選択することができる。ＳＴＡ２は、ＢＳＳカラーが、それが関連付けされ得るＡＰのＢＳＳカラーと一致しないことを決定することができる。ＳＴＡ２がＡＰ１によって送られたＲＴＳを逸した、またはＯＢＳＳがＲＴＳ／ＣＴＳフレーム交換を用いない場合、ＳＴＡ２は、干渉されるチャネル上のＳＴＦを検出することによって、パケットの開始を追跡することができる。パケット開始点が検出されたとき、ＳＴＡ２はチャネルを推定するおよび／またはＢＳＳカラーフィールドをチェックすることができる。ＳＴＡ２は、ＢＳＳカラー情報によって、送信はＯＢＳＳ内であり得ることを知ることができる。ＳＴＡ２は、干渉されるチャネル上のパケット検出を停止すること、および／または例えば電力消費制限により、ＯＢＳＳ内の送信中にミュート状態を保つことを、選択することができる。ＳＴＡ２は、干渉信号のヌル空間における空間的方向を計算することができる。ＳＴＡ２は、ＣＤＭＡ符号化信号および／またはフィードバックチャネルを選択して、ＡＰ１へ、干渉チャネルに向かう直交方向を送ることができる。ＡＰ１は、ＳＴＡ２からフィードバック情報を受信することができる。ＡＰ１は、例えばＳＴＡ２の受信器において、干渉信号によって占有される部分空間に直交となり得る空間的方向に、その送信される信号を制御するように、プリコーディングを行うことができる。ＳＴＡ２は、ＡＰ１の送信方向と一致した重みを組み合わせる受信器を用いて、例えばＡＰ２のＮＡＶ持続時間内で、ＡＰ１からの信号を受信することができる。
【０１４７】
直交方向は、本明細書で述べられるように決定されることができる。ＡＰ２は、Ｍ個のアンテナを用いて、干渉信号ｘIを送信することができる。ＡＰ１およびＳＴＡ２は、Ｎ＞Ｍ個のアンテナを有することができる（例えばＮ＞Ｍ個のアンテナを有することが必要となり得る）。ＳＴＡ２は、例えばＡＰ２によって送られたパケットのプリアンブル部分を用いて、チャネル推定を行うことができる。ＳＴＡ２とＡＰ２との間の推定される干渉チャネルは、Ｎ×Ｍ行列ＨIによって表されることができる。ＳＴＡ２は、ＨIのＳＶＤ分解を計算することができる。
ＨI＝ＵΣＶ＝［Ｕ1Ｕ2］ΣＶ
ただし、ＵはＮ×Ｎユニタリ行列とすることができ、ＶはＭ×Ｍユニタリ行列とすることができ、Σはそれの最上主対角線上に特異値を有するＮ×Ｍ行列とすることができる。Ｕ1はＨIの範囲空間に及ぶことができる固有ベクトルを保持するＵのＮ×Ｍ部分行列とすることができる。Ｕ2は、その列ベクトルがＨIのヌル空間内に位置することができるＮ×（Ｎ−Ｍ）部分行列とすることができる。
【０１４８】
【数１０】
2019220999.tif 000012
【０１４９】
と表し、ただし
【０１５０】
【数１１】
2019220999.tif 000013
【０１５１】
、ｉ＝１，２，・・・，Ｎ−ＭはＵ2の列ベクトルとすることができ、ＳＴＡ２は、所望のビーム形成ベクトルとして、Ｕ2のいくつかの列ベクトルを選択することができる。ＳＴＡ２はＡＰ１に、これらの所望のビーム形成ベクトルを用いて信号を送信するように通知することができる。
【０１５２】
所望のビーム形成ベクトルとして、
【０１５３】
【数１２】
2019220999.tif 000014
【０１５４】
においてＫ個の列ベクトルが選択されたと仮定すると、Ｋ個のビーム形成ベクトルは、行列ＵDを形成することができる。ＳＴＡ２はＡＰ１に、ＵDのフィードバック情報を送ることができる。ＡＰ１とＳＴＡ２との間のＮ×Ｎチャネル行列は、ＨDによって表されることができる。ＡＰ１は、それ自体とＳＴＡ２との間のＣＳＩの知識を有することができる。ＡＰ１は、例えば送信中に、プリコーディング行列
【０１５５】
【数１３】
2019220999.tif 000015
【０１５６】
を使用して、ＳＴＡ２にＫ個の情報シンボルｘDを送信することができる。ＳＴＡ２における受信信号は次のように表されることができる。
ｙ＝ＨDＰDｘD＋ＨIｘI＋ｎ
＝ＵDｘD＋ＨIｘI＋ｎ
【０１５７】
受信器においてＳＴＡ２は、
【０１５８】
【数１４】
2019220999.tif 000016
【０１５９】
を結合行列として利用することができる。所望の信号ビーム形成ベクトルＵDｘDは干渉信号のヌル空間に存在することができ、結合行列は所望の信号と一致され得るので、例えば以下などの結合演算の後、干渉は取り除かれる（例えば完全に取り除かれる）ことができる。
【０１６０】
【数１５】
2019220999.tif 000017
【０１６１】
例えば
【０１６２】
【数１６】
2019220999.tif 000018
【０１６３】
は、ユニタリ行列のいくつかの列ベクトルから構成されることができるので、等価ノイズ分散は強くなり得ない。ＳＴＡ２でのＳＶＤでの計算値は、低くなり得る。ＡＰ１でのビーム形成処理において、より多くの計算コストが存在し得る。ＳＴＡ２による干渉方向ＵDのフィードバックは、ＡＰ２に関連付けられた密接に位置するＳＴＡに対して、干渉を引き起こし得る。ＳＴＡ２の、隣接したＯＢＳＳ内のＳＴＡへの干渉を低減するために、ＣＤＭＡ符号化されたフィードバック、または別の周波数フィードバックチャネルが有用となり得る。ＳＴＡ２によって引き起こされる干渉を低減するために、送信電力制御が用いられることができる。
【０１６４】
ＢＳＳカラー変更および協調が、本明細書で述べられることができる。図２３は、ＯＢＳＳ報告要素の例を示す。ＳＴＡは、例えばその現在のＢＳＳのカラーを用いて、受信された送信において（例えばＳＩＧフィールドにおいて）示されるカラーと比較して、それ自体のＢＳＳ以外のＢＳＳを検出することができる。ＳＴＡは、このような検出を、それの関連付けられたＡＰに報告することができる。例えばＳＴＡは、図２３に示されるようにＯＢＳＳ報告要素を用いて、ＳＴＡが検出し得たＯＢＳＳの情報および／またはＢＳＳカラーを報告することができる。
【０１６５】
ＯＢＳＳ報告要素（例えばＯＢＳＳ（サブ）要素）は以下のフィールド、（サブ）要素ＩＤ、長さ、フィールド数、またはＯＢＳＳ報告フィールド１からフィールドＮの、１または複数を含むことができる。（サブ）要素ＩＤは、現在の（サブ）要素がＯＢＳＳ報告（サブ）要素であり得ることの識別子を含むことができる。長さフィールドは、ＯＢＳＳ報告（サブ）要素の長さを含むことができる。フィールド数フィールドは、現在のＯＢＳＳ報告（サブ）要素内のＯＢＳＳ報告フィールドの数を示すことができる。フィールド数フィールドは、例えば固定の数（例えば１つ）のＯＢＳＳ報告フィールドが含まれる場合は、省かれてもよい。１または複数の（例えば各）ＯＢＳＳ報告フィールド１からフィールドＮフィールドは、検出されたＯＢＳＳに関連付けられた情報を含むことができる。ＯＢＳＳ報告フィールドの１または複数（例えばそれぞれ）は以下のサブフィールド、ＢＳＳ識別子、ＥＳＳ識別子、コーディネータＩＤ、世代、カラー情報、または動作チャネル情報の、１または複数を含むことができる。ＢＳＳ識別子サブフィールドは、ＢＳＳＩＤ、短いＢＳＳＩＤ、または前もって合意され得た他のタイプのＢＳＳの識別子などの、ＢＳＳの識別子を備えることができる。ＥＳＳ識別子サブフィールドは、ＳＳＩＤ、短いＳＳＩＤ、または他のタイプのＢＳＳの識別子などの、ＥＳＳの識別子を備えることができる。コーディネータＩＤサブフィールドは、識別されたＢＳＳおよび／またはＥＳＳのためのコーディネータの識別子を備えることができる。ＩＤは、ＭＡＣアドレス、ＩＰアドレスなどとして実施されることができる。世代サブフィールドは、識別されたＢＳＳの世代のインディケーションを備えることができる。可能性がある世代の値は、８０２．１１ａ、８０２．１１ｂ、８０２．１１ｇ、８０２．１１ｎ、８０２．１１ａｃ、８０２．１１ａｈ、８０２．１１ａｆ、８０２．１１ａｘなどを含むことができる。カラー情報サブフィールドは、識別されたＢＳＳによって用いられることができるＢＳＳカラーの情報を備えることができる。可能性がある値は、カラーなし、および／または識別されたＢＳＳによって用いられることができるカラーを示す整数またはビットパターンを含むことができる。このサブフィールドにおける特定の値またはビットパターンは、Ｎｏ  Ｃｏｌｏｒ、または識別されたＢＳＳがカラーを用いないことを示すことができる。動作チャネル情報サブフィールドは、２０ＭＨｚ、４０ＭＨｚ、８０ＭＨｚ、１６０ＭＨｚ、８０＋８０ＭＨｚ、１ＭＨｚ、２ＭＨｚ、Ｗ、Ｗ＋Ｗ、２Ｗ、４ＭＨｚ、２Ｗ＋２Ｗ、８ＭＨｚ、１６ＭＨｚなどのＢＳＳ動作幅など、識別されたＢＳＳの動作チャネルを含むことができる。プライマリチャネル番号およびＣＣＦＳ−１情報が、含まれることができる。
【０１６６】
ＯＢＳＳ報告（サブ）要素、またはフィールドおよび／またはサブフィールドのセットは、ＨＥ能力要素、ＨＥ動作要素などの既存の要素の任意の一部、または制御、管理、拡張またはヌルデータパケット（ＮＤＰ）フレームの任意の一部として、またはＭＡＣもしくは物理層コンバージェンスプロトコル（ＰＬＣＰ）ヘッダの一部として実施されることができる。例えばＯＢＳＳ報告（サブ）要素のフィールドまたはサブフィールドのセットは、隣接報告、縮小型隣接報告、またはＨＥ隣接報告の一部またはサブ要素として実施されることができる。例えば本明細書で述べられるフィールドまたはサブフィールドの１または複数は、アクションフレーム、ＡＣＫなしアクションフレーム、またはＨＥアクションフレームなどのパブリックアクションフレーム内に含められることができる。このようなフレームは、発見された１または複数のＢＳＳを報告するためにＳＴＡによって用いられることができ、これは発見されたＢＳＳがカラーを用い得るかどうか、および発見されたＢＳＳがどのカラー値を用い得るかを含むことができる。
【０１６７】
ＢＳＳカラー変更がもたらされることができる。ＳＴＡにはＡＰによって、関連付けの間にＡＰのＢＳＳにおいて用いられ得るＢＳＳカラーが通知されることができる。ＳＴＡは、ＯＢＳＳ報告アクションフレーム、またはＯＢＳＳ報告（サブ）要素を備えたフレームを送ることができ、これはＢＳＳが同じカラーを用い得るＳＴＡによって発見され得ることを報告するために、ＡＰによる応答型、定期的に行われることができ、または非応答型とすることができる。例えばＳＴＡは、ＯＢＳＳ報告アクションフレーム、またはＯＢＳＳ報告（サブ）要素を含んだフレームを、ＡＰによって応答型、定期的、または非応答型で送って、ＳＴＡが発見し得た１または複数のＯＢＳＳを報告することができる。ＡＰは、例えばビーコン、短いビーコン、データなどのＯＢＳＳパケット、およびＯＢＳＳからの制御、管理、または拡張パケットを検出することによって、それのＯＢＳＳの１つがそれ自体のＢＳＳと同じカラーを用いていることを検出し得る。ＯＢＳＳパケットは、ＯＢＳＳのカラー、および／またはＢＳＳＩＤまたはＡＰ自体のＢＳＳに属さない送信ＳＴＡのＭＡＣアドレスなどの他の識別情報を含むことができる。例えばＡＰがＳＴＡからＯＢＳＳはそれ自体のＢＳＳと同じカラーを用い得る旨のインディケーションを受信したとき、ＡＰは異なるカラーを選択することができる。新しいカラー値はランダムに選択されることができ、例えばそれの直接ＯＢＳＳによって用いられ得ないカラー値のセットからランダムに選択されることができる。新しいカラー値は、所与のエリア内のＯＢＳＳによって用いられることが最も少ないカラー値となるように選択されることができる。ＡＰは、カラーアナウンスメントフレームの変化を用いて、ＢＳＳカラーの変化をアナウンスすることができ、これはビーコン、短いビーコン、または管理、制御、拡張の任意の一部における（サブ）要素として、またはＮＤＰフレーム、またはＭＡＣ／ＰＬＣＰヘッダの一部として実施されることができる。
【０１６８】
図２４は、カラー変更アナウンスメント要素（例えば（サブ）要素）の例を示す。図２４に示されるように、カラー変更アナウンスメント要素（例えば（サブ）要素）は、（サブ）要素ＩＤ、長さ、新しいＢＳＳカラー、または切り換え時間フィールドの、１または複数を含むことができる。（サブ）要素ＩＤフィールドは、現在の（サブ）要素が、カラー変更アナウンスメント（サブ）要素であり得ることを示す識別子とすることができる。長さフィールドは、カラー変更（サブ）要素の長さを備えることができる。新しいＢＳＳカラーは、ＢＳＳによって用いられることができる新しいカラー値の値を備えることができる。切り換え時間フィールドは、新しいＢＳＳカラーへの切り換えの時間を示すことができる。例えば切り換え時間は、ＢＳＳが新しいＢＳＳカラー値に切り換わることができるまでの、時間単位（ＴＵ）での残り時間、マイクロ秒、ミリ秒、秒、または任意の他の時間単位として実施されることができる。例えば切り換え時間は、タイミング同期機能（ＴＳＦ）値、部分的ＴＳＦ値、またはＢＳＳが新しいＢＳＳカラー値に変化することができる絶対時間とすることができる。ＢＳＳのＡＰおよびＳＴＡは、示された切り換え時間において、および／または切り換え時間がゼロまでカウントダウンされ得たときに、新しいＢＳＳカラー値に適応するおよび／またはそれを用いることができる。
【０１６９】
１または複数のＡＰは、協調を用いてそれらのＢＳＳのためのカラー（例えば最良のカラー）を選択することができる。協調は、本明細書で述べられることができる。ＡＰは、例えば新しいＢＳＳを新たに開始するとき、ＯＢＳＳがそれらの現在のＢＳＳと同じカラー値を用い得ることが発見されたとき、それらのＳＴＡによって、１または複数のＯＢＳＳはそれら自体のＢＳＳと同じカラー値を用い得ることが通知されたとき、および／またはそれが一定の閾値レベルを超える干渉を経験したときに、協調を通じて新しいＢＳＳカラー値を選択することができる。ＡＰは協調を通じて、例えばＡＰ対ＡＰ協調を通じて、またはプロバイダコーディネータを通じた協調を通じて、新しいＢＳＳカラー値を選択することができる。
【０１７０】
ＡＰまたはコーディネータは、例えば関連のあるエリアにおいて、１または複数（例えばすべて）のＡＰ／コーディネータに、協調要求フレーム／要素を送ることができる。協調要求フレームは、カラー値を備えることができる。協調要求は、関連のあるＯＢＳＳ内のＡＰ／ＢＳＳの１または複数（例えばすべて）によって用いられることができるカラーを問い合わせることができる。
【０１７１】
ＡＰ／コーディネータは、例えばカラー値を協調させるために協調要求フレーム／要素を受信したとき、協調応答フレーム／要素によって応答することができる。協調応答フレーム／要素は、協調要求フレームにおける提案されたカラーが拒絶された、受け入れられた、または代替値が提案されたかどうかのステータスを備えることができる。協調応答は、応答するＢＳＳにおいて、ＢＳＳによって用いられることができる現在のカラー値を備えることができる。
【０１７２】
ＡＰ／コーディネータは、それのＢＳＳまたは１または複数のＢＳＳに、ＢＳＳはもたらされた切り換え時間において新しいＢＳＳカラー値に切り換わるべきであることを、例えばカラー変更フレーム／要素を用いてアナウンスすることができる。
【０１７３】
図２５Ａは、１または複数の開示される実施形態が実施されることができる、例示の通信システム２５００の図である。通信システム２５００は、複数の無線ユーザに音声、データ、ビデオ、メッセージング、ブロードキャストなどのコンテンツをもたらす、多元接続システムとすることができる。通信システム２５００は、複数の無線ユーザが、無線帯域幅を含むシステムリソースの共有を通じて、このようなコンテンツにアクセスすることを可能にすることができる。例えば通信システム２５００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）などの１または複数のチャネルアクセス方法を使用することができる。
【０１７４】
図２５Ａに示されるように通信システム２５００は、複数のＷＴＲＵ、例えばＷＴＲＵ２５０２ａ、２５０２ｂ、２５０２ｃ、および２５０２ｄなどの少なくとも１つの無線送信／受信ユニット（ＷＴＲＵ）、無線アクセスネットワーク（ＲＡＮ）２５０４、コアネットワーク２５０６、公衆交換電話ネットワーク（ＰＳＴＮ）２５０８、インターネット２５１０、および他のネットワーク２５１２を含むことができるが、開示される実施形態は任意の数のＷＴＲＵ、基地局、ネットワーク、および／またはネットワーク要素を企図することが理解されるべきである。ＷＴＲＵ２５０２ａ、２５０２ｂ、２５０２ｃ、２５０２ｄのそれぞれは、無線環境において動作および／または通信するように構成された任意のタイプのデバイスとすることができる。例としてＷＴＲＵ２５０２ａ、２５０２ｂ、２５０２ｃ、２５０２ｄは、無線信号を送信および／または受信するように構成されることができ、ユーザ機器（ＵＥ）、移動局、固定またはモバイル加入者ユニット、ページャ、携帯電話、携帯情報端末（ＰＤＡ）、スマートフォン、ラップトップ、ノートブック、パーソナルコンピュータ、無線センサ、民生用電子機器などを含むことができる。
【０１７５】
通信システム２５００はまた、基地局２５１４ａおよび基地局２５１４ｂを含むことができる。基地局２５１４ａ、２５１４ｂのそれぞれは、コアネットワーク２５０６、インターネット２５１０、および／またはネットワーク２５１２などの、１または複数の通信ネットワークへのアクセスを容易にするように、ＷＴＲＵ２５０２ａ、２５０２ｂ、２５０２ｃ、２５０２ｄの少なくとも１つと無線でインターフェースするように構成された任意のタイプのデバイスとすることができる。例として基地局２５１４ａ、２５１４ｂは、基地トランシーバ局（ＢＴＳ）、ノードＢ、ｅノードＢ、ホームノードＢ、ホームｅノードＢ、サイトコントローラ、アクセスポイント（ＡＰ）、無線ルータなどとすることができる。基地局２５１４ａ、２５１４ｂはそれぞれ単一の要素として示されるが、基地局２５１４ａ、２５１４ｂは、任意の数の相互接続された基地局および／またはネットワーク要素を含むことができることが理解されるべきである。
【０１７６】
基地局２５１４ａはＲＡＮ２５０４の一部とすることができ、これはまた他の基地局、および／または基地局コントローラ（ＢＳＣ）、無線ネットワークコントローラ（ＲＮＣ）、中継ノードなどのネットワーク要素（図示せず）を含むことができる。基地局２５１４ａおよび／または基地局２５１４ｂは、セル（図示せず）と呼ばれることができる特定の地理的領域内で、無線信号を送信および／または受信するように構成されることができる。セルはさらにセルセクタに分割されることができる。例えば基地局２５１４ａに関連付けられたセルは、３つのセクタに分割されることができる。従って一実施形態では基地局２５１４ａは、３つのトランシーバ、例えばセルの各セクタに対して１つを含むことができる。他の実施形態では基地局２５１４ａは、多入力多出力（ＭＩＭＯ）技術を使用することができ、従ってセルの各セクタに対して複数のトランシーバを利用することができる。
【０１７７】
基地局２５１４ａ、２５１４ｂは、任意の適切な無線通信リンク（例えば無線周波数（ＲＦ）、マイクロ波、赤外線（ＩＲ）、紫外線（ＵＶ）、可視光など）とすることができるエアインターフェース２５１６を通して、ＷＴＲＵ２５０２ａ、２５０２ｂ、２５０２ｃ、２５０２ｄの１または複数と通信することができる。エアインターフェース２５１６は、任意の適切な無線アクセス技術（ＲＡＴ）を用いて確立されることができる。
【０１７８】
より具体的には上記のように通信システム２５００は、多元接続システムとすることができ、ＣＤＭＡ、ＴＤＭＡ、ＦＤＭＡ、ＯＦＤＭＡ、ＳＣ−ＦＤＭＡなどの１または複数のチャネルアクセス方式を使用することができる。例えばＲＡＮ２５０４内の基地局２５１４ａ、およびＷＴＲＵ２５０２ａ、２５０２ｂ、２５０２ｃは、ユニバーサル移動体通信システム（ＵＭＴＳ）地上無線アクセス（ＵＴＲＡ）などの無線技術を実施することができ、これらは広帯域ＣＤＭＡ（ＷＣＤＭＡ（登録商標））を用いてエアインターフェース２５１６を確立することができる。ＷＣＤＭＡは、高速パケットアクセス（ＨＳＰＡ）および／またはＥｖｏｌｖｅｄ  ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【０１７９】
他の実施形態では、基地局２５１４ａおよびＷＴＲＵ２５０２ａ、２５０２ｂ、２５０２ｃは、Ｅｖｏｌｖｅｄ  ＵＭＴＳ地上無線アクセス（Ｅ−ＵＴＲＡ）などの無線技術を実施することができ、これらはロングタームエボリューション（ＬＴＥ）および／またはＬＴＥ−Ａｄｖａｎｃｅｄ（ＬＴＥ−Ａ）を用いて、エアインターフェース２５１６を確立することができる。
【０１８０】
他の実施形態では、基地局２５１４ａおよびＷＴＲＵ２５０２ａ、２５０２ｂ、２５０２ｃは、ＩＥＥＥ  ８０２．１６（例えばマイクロ波アクセス用世界規模相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、ＧＳＭ  ＥＤＧＥ（ＧＥＲＡＮ）などの無線技術を実施することができる。
【０１８１】
図２５Ａの基地局２５１４ｂは、例えば無線ルータ、ホームノードＢ、ホームｅノードＢ、またはアクセスポイントを備えることができ、事業所、ホーム、乗り物、キャンパスなどの局所的エリアにおける、無線接続性を容易にするための任意の適切なＲＡＴを利用することができる。一実施形態では、基地局２５１４ｂおよびＷＴＲＵ２５０２ｃ、２５０２ｄは、ＩＥＥＥ  ８０２．１１などの無線技術を実施して、無線ローカルエリアネットワーク（ＷＬＡＮ）を確立することができる。他の実施形態では、基地局２５１４ｂおよびＷＴＲＵ２５０２ｃ、２５０２ｄは、ＩＥＥＥ  ８０２．１５などの無線技術を実施して、無線パーソナルエリアネットワーク（ＷＰＡＮ）を確立することができる。他の実施形態では、基地局２５１４ｂおよびＷＴＲＵ２５０２ｃ、２５０２ｄは、セルラベースのＲＡＴ（例えばＷＣＤＭＡ、ＣＤＭＡ２０００、ＧＳＭ、ＬＴＥ、ＬＴＥ−Ａなど）を利用して、ピコセルまたはフェムトセルを確立することができる。図２５Ａに示されるように基地局２５１４ｂは、インターネット２５１０への直接接続を有することができる。従って基地局２５１４ｂは、コアネットワーク２５０６を経由してインターネット２５１０にアクセスする必要はなくてよい。
【０１８２】
ＲＡＮ２５０４はコアネットワーク２５０６と通信することができ、これは音声、データ、アプリケーション、および／またはボイスオーバインターネットプロトコル（ＶｏＩＰ）サービスを、ＷＴＲＵ２５０２ａ、２５０２ｂ、２５０２ｃ、２５０２ｄの１または複数にもたらすように構成された任意のタイプのネットワークとすることができる。例えばコアネットワーク２５０６は、呼制御、料金請求サービス、モバイル位置ベースのサービス、プリペイドコール、インターネット接続性、ビデオ配信などをもたらすことができ、および／またはユーザ認証などの高レベルセキュリティ機能を行うことができる。図２５Ａに示されないが、ＲＡＮ２５０４および／またはコアネットワーク２５０６は、ＲＡＮ２５０４と同じＲＡＴまたは異なるＲＡＴを使用する他のＲＡＮと、直接または間接に通信できることが理解されるべきである。例えば、Ｅ−ＵＴＲＡ無線技術を利用することができるＲＡＮ２５０４に接続されることに加えて、コアネットワーク２５０６はまた、ＧＳＭ無線技術を使用する別のＲＡＮ（図示せず）とも通信することができる。
【０１８３】
コアネットワーク２５０６はまた、ＰＳＴＮ２５０８、インターネット２５１０、および／または他のネットワーク２５１２にアクセスするように、ＷＴＲＵ２５０２ａ、２５０２ｂ、２５０２ｃ、２５０２ｄのためのゲートウェイとして働くことができる。ＰＳＴＮ２５０８は、従来型電話サービス（plain old telephone service）（ＰＯＴＳ）をもたらす回線交換電話ネットワークを含むことができる。インターネット２５１０は、ＴＣＰ／ＩＰインターネットプロトコル群における送信制御プロトコル（ＴＣＰ）、ユーザデータグラムプロトコル（ＵＤＰ）、およびインターネットプロトコル（ＩＰ）などの共通通信プロトコルを用いる、相互接続されたコンピュータネットワークおよびデバイスの地球規模のシステムを含むことができる。ネットワーク２５１２は、他のサービスプロバイダによって所有および／または運用される、有線または無線通信ネットワークを含むことができる。例えばネットワーク２５１２は、ＲＡＮ２５０４と同じＲＡＴまたは異なるＲＡＴを使用することができる１または複数のＲＡＮに接続された、別のコアネットワークを含むことができる。
【０１８４】
通信システム２５００におけるＷＴＲＵ２５０２ａ、２５０２ｂ、２５０２ｃ、２５０２ｄのいくつかまたはすべては、マルチモード能力を含むことができ、例えばＷＴＲＵ２５０２ａ、２５０２ｂ、２５０２ｃ、２５０２ｄは、異なる無線リンクを通して異なる無線ネットワークと通信するための複数のトランシーバを含むことができる。例えば図２５Ａに示されるＷＴＲＵ２５０２ｃは、セルラベースの無線技術を使用することができる基地局２５１４ａ、およびＩＥＥＥ８０２無線技術を使用することができる基地局２５１４ｂと通信するように構成されることができる。
【０１８５】
図２５Ｂは、例示のＷＴＲＵ２５０２のシステム図である。図２５Ｂに示されるようにＷＴＲＵ２５０２は、プロセッサ２５１８、トランシーバ２５２０、送信／受信要素２５２２、スピーカ／マイクロフォン２５２４、キーパッド２５２６、ディスプレイ／タッチパッド２５２８、非リムーバブルメモリ２５３０、リムーバブルメモリ２５３２、電源２５３４、全地球測位システム（ＧＰＳ）チップセット２５３６、および他の周辺装置２５３８を含むことができる。ＷＴＲＵ２５０２は、実施形態と一貫性を保ちながら、上記の要素の任意のサブコンビネーションを含むことができることが理解されるべきである。
【０１８６】
プロセッサ２５１８は、汎用プロセッサ、専用プロセッサ、従来型プロセッサ、デジタル信号プロセッサ（ＤＳＰ）、複数のマイクロプロセッサ、ＤＳＰコアに関連した１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などを備えることができる。プロセッサ２５１８は、信号符号化、データ処理、電力制御、入力／出力処理、および／またはＷＴＲＵ２５０２が無線環境において動作することを可能にする任意の他の機能を行うことができる。プロセッサ２５１８はトランシーバ２５２０に結合されることができ、これは送信／受信要素２５２２に結合されることができる。図２５Ｂはプロセッサ２５１８およびトランシーバ２５２０を別個の構成要素として示すが、プロセッサ２５１８およびトランシーバ２５２０は、電子回路パッケージまたはチップ内に一緒に統合されることができることが理解されるべきである。
【０１８７】
送信／受信要素２５２２は、エアインターフェース２５１６を通して、基地局（例えば基地局２５１４ａ）に信号を送信し、またはそれから信号を受信するように構成されることができる。例えば一実施形態では送信／受信要素２５２２は、ＲＦ信号を送信および／または受信するように構成されたアンテナとすることができる。他の実施形態では送信／受信要素２５２２は、例えばＩＲ、ＵＶ、または可視光信号を送信および／または受信するように構成された放射器／検出器とすることができる。さらに他の実施形態では送信／受信要素２５２２は、ＲＦおよび光信号の両方を送信および受信するように構成されることができる。送信／受信要素２５２２は、無線信号の任意の組み合わせを送信および／または受信するように構成されることができることが理解されるべきである。
【０１８８】
さらに図２５Ｂでは送信／受信要素２５２２は単一の要素として示されるが、ＷＴＲＵ２５０２は任意の数の送信／受信要素２５２２を含むことができる。より具体的にはＷＴＲＵ２５０２は、ＭＩＭＯ技術を使用することができる。従って一実施形態ではＷＴＲＵ２５０２は、エアインターフェース２５１６を通して無線信号を送信および受信するための、２つ以上の送信／受信要素２５２２（例えば複数のアンテナ）を含むことができる。
【０１８９】
トランシーバ２５２０は、送信／受信要素２５２２によって送信されることになる信号を変調するように、および送信／受信要素２５２２によって受信された信号を復調するように構成されることができる。上記のようにＷＴＲＵ２５０２は、マルチモード能力を有することができる。従ってトランシーバ２５２０は、ＷＴＲＵ２５０２が例えばＵＴＲＡおよびＩＥＥＥ  ８０２．１１などの複数のＲＡＴによって通信することを可能にするための、複数のトランシーバを含むことができる。
【０１９０】
ＷＴＲＵ２５０２のプロセッサ２５１８は、スピーカ／マイクロフォン２５２４、キーパッド２５２６、および／またはディスプレイ／タッチパッド２５２８（例えば液晶表示（ＬＣＤ）ディスプレイユニット、または有機発光ダイオード（ＯＬＥＤ）ディスプレイユニット）に結合されることができ、それらからユーザ入力データを受け取ることができる。プロセッサ２５１８はまた、スピーカ／マイクロフォン２５２４、キーパッド２５２６、および／またはディスプレイ／タッチパッド２５２８に、ユーザデータを出力することができる。さらにプロセッサ２５１８は、非リムーバブルメモリ２５３０および／またはリムーバブルメモリ２５３２などの任意のタイプの適切なメモリからの情報にアクセスし、それにデータを記憶することができる。非リムーバブルメモリ２５３０は、ランダムアクセスメモリ（ＲＡＭ）、読み出し専用メモリ（ＲＯＭ）、ハードディスク、または任意の他のタイプのメモリ記憶デバイスを含むことができる。リムーバブルメモリ２５３２は、加入者識別モジュール（ＳＩＭ）カード、メモリスティック、セキュアデジタル（ＳＤ）メモリカードなどを含むことができる。他の実施形態ではプロセッサ２５１８は、サーバまたはホームコンピュータ（図示せず）上など、物理的にＷＴＲＵ２５０２上に位置しないメモリからの情報にアクセスし、それにデータを記憶することができる。
【０１９１】
プロセッサ２５１８は、電源２５３４から電力を受け取ることができ、ＷＴＲＵ２５０２内の他の構成要素に対して電力を分配および／または制御するように構成されることができる。電源２５３４は、ＷＴＲＵ２５０２に電力供給するための任意の適切なデバイスとすることができる。例えば電源２５３４は、１または複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉイオン）など）、太陽電池、燃料電池などを含むことができる。
【０１９２】
プロセッサ２５１８はまたＧＰＳチップセット２５３６に結合されることができ、これはＷＴＲＵ２５０２の現在位置に関する位置情報（例えば経度および緯度）をもたらすように構成されることができる。ＧＰＳチップセット２５３６からの情報に加えてまたはその代わりにＷＴＲＵ２５０２は、エアインターフェース２５１６を通して基地局（例えば基地局２５１４ａ、２５１４ｂ）から位置情報を受信することができ、および／または２つ以上の近くの基地局から受信される信号のタイミングに基づいてその位置を決定することができる。ＷＴＲＵ２５０２は、実施形態と一貫性を保ちながら、任意の適切な位置決定方法によって位置情報を取得できることが理解されるべきである。
【０１９３】
プロセッサ２５１８はさらに他の周辺装置２５３８に結合されることができ、これはさらなる特徴、機能、および／または有線もしくは無線接続性をもたらす、１または複数のソフトウェアおよび／またはハードウェアモジュールを含むことができる。例えば周辺装置２５３８は、加速度計、電子コンパス、衛星トランシーバ、デジタルカメラ（写真またはビデオ用）、ユニバーサルシリアルバス（ＵＳＢ）ポート、振動デバイス、テレビ送受信機、ハンズフリーヘッドセット、ブルートゥース（登録商標）モジュール、周波数変調（ＦＭ）ラジオユニット、デジタル音楽プレーヤ、メディアプレーヤ、ビデオゲームプレーヤモジュール、インターネットブラウザなどを含むことができる。
【０１９４】
特徴および要素は上記では特定の組み合わせにおいて述べられたが、当業者は、各特徴または要素は単独で、または他の特徴および要素との任意の組み合わせにおいて用いられることができることを理解するであろう。本明細書で述べられる８０２．１１プロトコル以外に、本明細書で述べられる特徴および要素は、他の無線システムに応用可能とすることができる。本明細書で述べられる特徴および要素は、アップリンク動作に対して述べられる場合があったが、方法および手順はダウンリンク動作に応用可能とすることができる。様々なフレーム間隔を示すために本明細書ではＳＩＦＳが用いられる場合があったが、他のフレーム間隔、例えばＲＩＦＳまたは他の合意された時間間隔が適用されることができる。さらに本明細書で述べられる方法は、コンピュータまたはプロセッサによる実行のためにコンピュータ可読媒体に組み込まれた、コンピュータプログラム、ソフトウェア、またはファームウェアにおいて実施されることができる。コンピュータ可読媒体の例は、電子信号（有線または無線接続を通して送信される）、およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ＣＤ−ＲＯＭディスクおよびデジタル多用途ディスク（ＤＶＤ）などの光媒体を含むが、それらに限定されない。ＷＴＲＵ、端末装置、基地局、ＲＮＣ、または任意のホストコンピュータにおける使用のために、無線周波数トランシーバを実施するように、ソフトウェアと関連してプロセッサが用いられることができる。
【図１】
2019220999.tif 000019
【図２】
2019220999.tif 000020
【図３】
2019220999.tif 000021
【図４】
2019220999.tif 000022
【図５】
2019220999.tif 000023
【図６】
2019220999.tif 000024
【図７】
2019220999.tif 000025
【図８】
2019220999.tif 000026
【図９】
2019220999.tif 000027
【図１０】
2019220999.tif 000028
【図１１】
2019220999.tif 000029
【図１２】
2019220999.tif 000030
【図１３】
2019220999.tif 000031
【図１４】
2019220999.tif 000032
【図１５】
2019220999.tif 000033
【図１６】
2019220999.tif 000034
【図１７】
2019220999.tif 000035
【図１８】
2019220999.tif 000036
【図１９】
2019220999.tif 000037
【図２０】
2019220999.tif 000038
【図２１】
2019220999.tif 000039
【図２２】
2019220999.tif 000040
【図２３】
2019220999.tif 000041
【図２４】
2019220999.tif 000042
【図２５Ａ】
2019220999.tif 000043
【図２５Ｂ】
2019220999.tif 000044